(57)【特許請求の範囲】
【請求項１】
第１通信事業者に係る基地局に接続するための第１接続権に基づく前記第１通信事業者に係る基地局との接続を利用して、特定時間帯に特定領域において前記第１通信事業者以外の通信事業者である第２通信事業者に係る基地局に接続するための第２接続権の予約要求を行う通信制御部と、
前記第１接続権に基づく前記第１通信事業者に係る基地局との接続を利用して前記予約要求に応じた設定情報を取得して当該設定情報に基づいて前記第２接続権を設定する制御を行う制御部とを具備し、
前記予約要求は、前記第２通信事業者との無線接続サービスの使用許可に係る要求を含む
無線通信装置。
【請求項２】
前記第２接続権は、前記特定時間帯に前記特定領域に存在する前記第２通信事業者に係る基地局に接続するための権利であり、
前記制御部は、前記設定された第２接続権に基づいて前記第２通信事業者に係る基地局に接続するための接続処理を行う
請求項１記載の無線通信装置。
【請求項３】
前記制御部は、前記特定時間帯になった場合において前記無線通信装置が前記特定領域に存在する場合にのみ、前記設定された第２接続権に基づいて前記第２通信事業者に係る基地局に接続するための接続処理を行う請求項１または２記載の無線通信装置。
【請求項４】
前記特定時間帯および前記特定領域を指定するための指定操作を受け付ける操作受付部をさらに具備し、
前記通信制御部は、前記受け付けられた前記特定時間帯および前記特定領域を含めた前記予約要求を送信する
請求項１乃至３の何れかに記載の無線通信装置。
【請求項５】
前記制御部は、前記第１通信事業者に係る契約認証情報の代わりに前記第２通信事業者に係る契約認証情報を設定することにより前記第２接続権を設定する請求項１乃至４の何れかに記載の無線通信装置。
【請求項６】
第１通信事業者に係る基地局に接続するための第１接続権が設定されている無線通信装置から前記第１接続権に基づく前記第１通信事業者に係る基地局との接続を利用して送信された、特定時間帯に特定領域において前記第１通信事業者以外の通信事業者である第２通信事業者に係る基地局に接続するための第２接続権の予約要求を受信する受信部と、
前記特定領域に存在する前記第２通信事業者に係る基地局のうちから前記特定時間帯に接続することができる基地局を抽出して当該抽出された基地局に接続するための前記第２接続権を前記無線通信装置に設定させるための設定情報を、前記第１接続権に基づく前記無線通信装置および前記第１通信事業者に係る基地局の接続を利用して前記無線通信装置に送信する制御部とを具備し、
前記予約要求は、前記第２通信事業者との無線接続サービスの使用許可に係る要求を含む
情報処理装置。
【請求項７】
前記制御部は、前記抽出された基地局に接続するための前記第２接続権が設定されている無線通信装置の数が閾値を基準として小さい基地局のみを抽出する請求項６記載の情報処理装置。
【請求項８】
前記制御部は、前記特定領域に存在する前記第２通信事業者に係る基地局のうちから前記特定時間帯に接続することができる基地局が抽出されない場合には他の無線通信装置に設定されている前記第２接続権のキャンセルが発生した場合にのみ前記予約要求に応じた前記第２接続権を設定することができる前記設定情報を前記予約要求を送信した無線通信装置に送信する請求項６または７記載の情報処理装置。
【請求項９】
前記制御部は、前記予約要求を送信した無線通信装置の移動経路予測に基づいて前記特定時間帯に当該無線通信装置が存在する位置を特定して当該特定された位置を含む領域を前記特定領域として決定して当該決定された特定領域において前記第２接続権を設定するための設定情報を当該無線通信装置に送信する請求項６乃至８の何れかに記載の情報処理装置。
【請求項１０】
第１通信事業者に係る基地局に接続するための第１接続権に基づく前記第１通信事業者に係る基地局との接続を利用して、特定時間帯に特定領域において前記第１通信事業者以外の通信事業者である第２通信事業者に係る基地局に接続するための第２接続権の予約要求を、前記予約要求に応じた前記第２接続権の予約登録を行う情報処理装置に送信する通信制御部と、前記第１接続権に基づく前記第１通信事業者に係る基地局との接続を利用して前記情報処理装置からの前記予約要求に応じた設定情報を取得して当該設定情報に基づいて前記第２接続権を設定する制御を行う制御部とを備える無線通信装置と、
前記予約要求を前記無線通信装置から受信すると、前記特定領域に存在する前記第２通信事業者に係る基地局のうちから前記特定時間帯に接続することができる基地局を抽出して当該抽出された基地局に接続するための前記第２接続権を前記無線通信装置に設定させるための前記設定情報を、前記第１接続権に基づく前記無線通信装置および前記第１通信事業者に係る基地局の接続を利用して前記無線通信装置に送信する情報処理装置とを具備し、
前記予約要求は、前記第２通信事業者との無線接続サービスの使用許可に係る要求を含む
通信システム。
【請求項１１】
前記通信制御部は、前記情報処理装置に、前記設定された第２接続権を他の無線通信装置に移転させるための移転要求を送信し、
前記情報処理装置は、前記移転要求に基づいて前記設定された第２接続権を前記他の無線通信装置に移転させて当該第２接続権の予約登録を変更する
請求項１０記載の通信システム。
【請求項１２】
第１通信事業者に係る基地局に接続するための第１接続権に基づく前記第１通信事業者に係る基地局との接続を利用して、特定時間帯に特定領域において前記第１通信事業者以外の通信事業者である第２通信事業者に係る基地局に接続するための第２接続権の予約要求を行う通信制御手順と、
前記第１接続権に基づく前記第１通信事業者に係る基地局との接続を利用して前記予約要求に応じた設定情報を取得して当該設定情報に基づいて前記第２接続権を設定する制御を行う制御手順とを具備し、
前記予約要求は、前記第２通信事業者との無線接続サービスの使用許可に係る要求を含む
情報処理方法。
【発明の詳細な説明】
【技術分野】
【０００１】
本技術は、無線通信装置に関する。詳しくは、無線通信を行う無線通信装置、情報処理装置、これらを備える通信システムおよび情報処理方法に関する。
【背景技術】
【０００２】
従来、公衆無線網等のネットワークに接続する無線通信装置が広く普及している。また、無線通信装置を所有するユーザの移動先において無線通信装置を使用することができるように、無線通信装置が接続するための基地局が各地域において設置されている。また、無線通信装置が移動している場合には、ハンドオーバーの実行により移動中の無線通信装置が継続して通信を行うことができる。
【０００３】
例えば、無線通信装置により得られた位置データに基づく予測結果（無線通信装置の移動方向）に基づいて、次にハンドオーバーを行うべき移動方向の基地局候補を決定してハンドオーバーを実行する通信システムが提案されている（例えば、特許文献１参照。）。
【先行技術文献】
【特許文献】
【０００４】
【特許文献１】特開２００２−２３２９２８号公報
【発明の概要】
【発明が解決しようとする課題】
【０００５】
上述の従来技術によれば、本来の移動方向ではないセルの基地局へ誤ってハンドオーバーを行うことがなく、ユーザの移動先において無線通信装置を使用することができる。
【０００６】
ここで、例えば、多数の桜の木がある場所では、春の時期に多数の人が集まることが想定される。このように、特定のエリアに多数の人が集まる場合には、局所的にトラフィックが集中することが想定される。このため、無線通信装置を使用することができる状態であっても、十分な通信レートが得られず、適切な無線接続サービスをユーザが受けることができないおそれがある。
【０００７】
本技術はこのような状況に鑑みてなされたものであり、ユーザが所望する場所およびタイミングで適切な無線接続サービスを提供することを目的とする。
【課題を解決するための手段】
【０００８】
本技術は、上述の問題点を解消するためになされたものであり、その第１の側面は、第１通信事業者に係る基地局に接続するための第１接続権に基づく上記第１通信事業者に係る基地局との接続を利用して、特定時間帯に特定領域において上記第１通信事業者以外の通信事業者である第２通信事業者に係る基地局に接続するための第２接続権の予約要求を行う通信制御部と、上記第１接続権に基づく上記第１通信事業者に係る基地局との接続を利用して上記予約要求に応じた設定情報を取得して当該設定情報に基づいて上記第２接続権を設定する制御を行う制御部とを具備し、上記予約要求は、上記第２通信事業者との無線接続サービスの使用許可に係る要求を含む無線通信装置および情報処理方法ならびに当該方法をコンピュータに実行させるプログラムである。これにより、第２接続権の予約要求を行い、その予約要求に応じた設定情報に基づいて第２接続権を設定するという作用をもたらす。
【０００９】
また、この第１の側面において、上記第２接続権は、上記特定時間帯に上記特定領域に存在する上記第２通信事業者に係る基地局に接続するための権利であり、上記制御部は、上記設定された第２接続権に基づいて上記第２通信事業者に係る基地局に接続するための接続処理を行うようにしてもよい。これにより、設定された第２接続権に基づいて、特定時間帯に特定領域に存在する第２通信事業者に係る基地局に接続するための接続処理を行うという作用をもたらす。
【００１０】
また、この第１の側面において、上記制御部は、上記特定時間帯になった場合において上記無線通信装置が上記特定領域に存在する場合にのみ、上記設定された第２接続権に基づいて上記第２通信事業者に係る基地局に接続するための接続処理を行うようにしてもよい。これにより、特定時間帯になった場合において、無線通信装置が特定領域に存在する場合にのみ、設定された第２接続権に基づいて接続処理を行うという作用をもたらす。
【００１１】
また、この第１の側面において、上記特定時間帯および上記特定領域を指定するための指定操作を受け付ける操作受付部をさらに具備し、上記通信制御部は、上記受け付けられた上記特定時間帯および上記特定領域を含めた上記予約要求を送信するようにしてもよい。これにより、受け付けられた特定時間帯および特定領域を含めた予約要求を送信するという作用をもたらす。
また、この第１の側面において、上記制御部は、上記第１通信事業者に係る契約認証情報の代わりに上記第２通信事業者に係る契約認証情報を設定することにより上記第２接続権を設定するようにしてもよい。これにより、第１通信事業者に係る契約認証情報の代わりに第２通信事業者に係る契約認証情報を設定するという作用をもたらす。
【００１２】
また、本技術の第２の側面は、第１通信事業者に係る基地局に接続するための第１接続権が設定されている無線通信装置から上記第１接続権に基づく上記第１通信事業者に係る基地局との接続を利用して送信された、特定時間帯に特定領域において上記第１通信事業者以外の通信事業者である第２通信事業者に係る基地局に接続するための第２接続権の予約要求を受信する受信部と、上記特定領域に存在する上記第２通信事業者に係る基地局のうちから上記特定時間帯に接続することができる基地局を抽出して当該抽出された基地局に接続するための上記第２接続権を上記無線通信装置に設定させるための設定情報を、上記第１接続権に基づく上記無線通信装置および上記第１通信事業者に係る基地局の接続を利用して上記無線通信装置に送信する制御部とを具備し、上記予約要求は、上記第２通信事業者との無線接続サービスの使用許可に係る要求を含む情報処理装置およびその情報処理方法ならびに当該方法をコンピュータに実行させるプログラムである。これにより、特定領域に存在する第２通信事業者に係る基地局のうちから特定時間帯に接続することができる基地局を抽出し、この抽出された基地局に接続するための第２接続権を無線通信装置に設定させるための設定情報を無線通信装置に送信するという作用をもたらす。
【００１３】
また、この第２の側面において、上記制御部は、上記抽出された基地局に接続するための上記第２接続権が設定されている無線通信装置の数が閾値を基準として小さい基地局のみを抽出するようにしてもよい。なお、ここで、閾値を基準として小さい場合とは、閾値以下の場合と、閾値未満の場合との何れかの意味を含むものとする。これにより、抽出された基地局に接続するための第２接続権が設定されている無線通信装置の数が閾値を基準として小さい基地局のみを抽出するという作用をもたらす。
【００１４】
また、この第２の側面において、上記制御部は、上記特定領域に存在する上記第２通信事業者に係る基地局のうちから上記特定時間帯に接続することができる基地局が抽出されない場合には他の無線通信装置に設定されている上記第２接続権のキャンセルが発生した場合にのみ上記予約要求に応じた上記第２接続権を設定することができる上記設定情報を上記予約要求を送信した無線通信装置に送信するようにしてもよい。これにより、特定領域に存在する第２通信事業者に係る基地局のうちから、特定時間帯に接続することができる基地局が抽出されない場合には、他の無線通信装置に設定されている第２接続権のキャンセルが発生した場合にのみ、予約要求に応じた第２接続権を設定することができる設定情報を無線通信装置に送信するという作用をもたらす。
【００１５】
また、この第２の側面において、上記制御部は、上記予約要求を送信した無線通信装置の移動経路予測に基づいて上記特定時間帯に当該無線通信装置が存在する位置を特定して当該特定された位置を含む領域を上記特定領域として決定して当該決定された特定領域において上記第２接続権を設定するための設定情報を当該無線通信装置に送信するようにしてもよい。これにより、無線通信装置の移動経路予測に基づいて、特定時間帯に無線通信装置が存在する位置を特定して特定領域を決定し、この決定された特定領域において第２接続権を設定するための設定情報を無線通信装置に送信するという作用をもたらす。
【００１７】
また、本技術の第３の側面は、第１通信事業者に係る基地局に接続するための第１接続権に基づく上記第１通信事業者に係る基地局との接続を利用して、特定時間帯に特定領域において上記第１通信事業者以外の通信事業者である第２通信事業者に係る基地局に接続するための第２接続権の予約要求を、上記予約要求に応じた上記第２接続権の予約登録を行う情報処理装置に送信する通信制御部と、上記第１接続権に基づく上記第１通信事業者に係る基地局との接続を利用して上記情報処理装置からの上記予約要求に応じた設定情報を取得して当該設定情報に基づいて上記第２接続権を設定する制御を行う制御部とを備える無線通信装置と、上記予約要求を上記無線通信装置から受信すると、上記特定領域に存在する上記第２通信事業者に係る基地局のうちから上記特定時間帯に接続することができる基地局を抽出して当該抽出された基地局に接続するための上記第２接続権を上記無線通信装置に設定させるための上記設定情報を、上記第１接続権に基づく上記無線通信装置および上記第１通信事業者に係る基地局の接続を利用して上記無線通信装置に送信する情報処理装置とを具備し、上記予約要求は、上記第２通信事業者との無線接続サービスの使用許可に係る要求を含む通信システムおよびその情報処理方法ならびに当該方法をコンピュータに実行させるプログラムである。これにより、無線通信装置は、第２接続権の予約要求を情報処理装置に送信し、情報処理装置からの予約要求に応じた設定情報に基づいて第２接続権を設定し、情報処理装置は、特定領域に存在する第２通信事業者に係る基地局のうちから、特定時間帯に接続することができる基地局を抽出し、この抽出された基地局に接続するための第２接続権を無線通信装置に設定させるための設定情報を無線通信装置に送信するという作用をもたらす。
また、この第３の側面において、上記通信制御部は、上記情報処理装置に、上記設定された第２接続権を他の無線通信装置に移転させるための移転要求を送信し、上記情報処理装置は、上記移転要求に基づいて上記設定された第２接続権を上記他の無線通信装置に移転させて当該第２接続権の予約登録を変更するようにしてもよい。これにより、設定された第２接続権を他の無線通信装置に移転させるための移転要求を情報処理装置に送信し、情報処理装置は、その移転要求に基づいて、設定された第２接続権を他の無線通信装置に移転させ、第２接続権の予約登録を変更するという作用をもたらす。
【発明の効果】
【００１８】
本技術によれば、ユーザが所望する場所およびタイミングで適切な無線接続サービスを提供することができるという優れた効果を奏し得る。
【図面の簡単な説明】
【００１９】
【図１】本技術の第１の実施の形態における無線通信装置３００の使用例を簡略化して示す図である。
【図２】本技術の第１の実施の形態における通信システム１００のシステム構成例を示すブロック図である。
【図３】本技術の第１の実施の形態における情報処理装置２００の機能構成例を示すブロック図である。
【図４】本技術の第１の実施の形態における予約情報記憶部２６０の記憶内容の一例を模式的に示す図である。
【図５】本技術の第１の実施の形態における端末管理情報記憶部２７０の記憶内容の一例を模式的に示す図である。
【図６】本技術の第１の実施の形態における無線通信装置３００の機能構成例を示すブロック図である。
【図７】本技術の第１の実施の形態における基地局４００の機能構成例を示すブロック図である。
【図８】本技術の第１の実施の形態における無線通信装置３００に表示される表示画面例を示す図である。
【図９】本技術の第１の実施の形態における無線通信装置３００に表示される表示画面例を示す図である。
【図１０】本技術の第１の実施の形態における無線通信装置３００に表示される表示画面例を示す図である。
【図１１】本技術の第１の実施の形態における無線通信装置３００に表示される表示画面例を示す図である。
【図１２】本技術の第１の実施の形態における通信システム１００を構成する各装置間における通信処理例を示すシーケンスチャートである。
【図１３】本技術の第１の実施の形態における無線通信装置３００に表示される表示画面例を示す図である。
【図１４】本技術の第１の実施の形態における通信システム１００を構成する各装置間における通信処理例を示すシーケンスチャートである。
【図１５】本技術の第１の実施の形態における無線通信装置３００による接続権予約処理の処理手順の一例を示すフローチャートである。
【図１６】本技術の第１の実施の形態における情報処理装置２００による接続権予約処理の処理手順の一例を示すフローチャートである。
【図１７】本技術の第１の実施の形態における情報処理装置２００による接続権予約処理の処理手順のうちの予約処理手順を示すフローチャートである。
【図１８】本技術の第１の実施の形態における情報処理装置２００による通信処理の処理手順の一例を示すフローチャートである。
【図１９】本技術の第１の実施の形態における無線通信装置３００による通信処理の処理手順の一例を示すフローチャートである。
【図２０】本技術の第２の実施の形態における情報処理装置７００の機能構成例を示すブロック図である。
【図２１】本技術の第２の実施の形態における無線通信装置３００に表示される表示画面例を示す図である。
【図２２】本技術の第２の実施の形態における情報処理装置７００による自動予約処理の処理手順の一例を示すフローチャートである。
【図２３】本技術の第３の実施の形態における無線通信装置３００による予約登録の変更処理の処理手順の一例を示すフローチャートである。
【図２４】本技術の第３の実施の形態における情報処理装置２００による予約登録の変更処理の処理手順の一例を示すフローチャートである。
【発明を実施するための形態】
【００２０】
以下、本技術を実施するための形態（以下、実施の形態と称する）について説明する。説明は以下の順序により行う。
１．第１の実施の形態（予約制御：ユーザ操作により所望の時間および場所において基地局に接続するための接続権を予約する例）
２．第２の実施の形態（予約制御：自動で接続権を予約する例）
３．第３の実施の形態（接続権移転制御：予約した接続権を移転する例）
【００２１】
＜１．第１の実施の形態＞
［無線通信装置の使用例］
図１は、本技術の第１の実施の形態における無線通信装置３００の使用例を簡略化して示す図である。無線通信装置３００は、例えば、携帯電話装置（例えば、スマートフォン）、無線通信機能を備える電子書籍表示装置、無線通信機能を備える情報処理装置（例えば、ノート型パーソナルコンピュータ）である。
【００２２】
図１（ａ）には、４月１日（金）よりも前に無線通信装置３００をユーザ１０が使用している状態を示す。図１（ｂ）には、ユーザ１０が花見の時期（例えば、４月２日（土））に行く予定の○○公園を簡略化して示す。ここで、○○公園において無線通信装置３００を用いて通信を行う場合には、無線回線を介して基地局２０または３０に接続する必要があるものとする。また、基地局２０は、第１の通信事業者（第１のネットワーク制御装置１１０）により運営されている基地局であり、基地局３０は、第２の通信事業者（第２のネットワーク制御装置１２０）により運営されている基地局であるものとする。なお、第１の通信事業者、第２の通信事業者は、無線接続サービスを提供する移動体通信事業者である。
【００２３】
ここで、無線通信装置３００を所有するユーザ１０は、第１の通信事業者との間で無線接続サービスの契約をしているものとする。すなわち、ユーザ１０は、第１の通信事業者が運用する基地局２０を利用することができる契約をしている。例えば、無線通信装置３００は、第１の通信事業者のＵＳＩＭ（Universal Subscriber Identity Module）情報を保持することにより、第１の通信事業者の携帯電話網を使用することが可能となる。このため、例えば、図１（ｂ）に示す○○公園において、無線通信装置３００は、第１の通信事業者に係るＵＳＩＭ情報に基づいて、基地局２０を利用することができる。ここで、ＵＳＩＭ情報は、契約認証情報の一例であり、契約認証情報は、電話の加入者（Subscriber）情報と、認証鍵（Authentication）の情報とを含む情報である。
【００２４】
ここで、ユーザ１０が○○公園に行く時期は花見の時期であるため、混雑していることが想定される。例えば、無線通信装置３００が接続可能な基地局２０の混雑度が大きく、無線通信装置３００が接続することができない基地局３０の混雑度が小さい場合を想定する。この場合には、ユーザ１０が○○公園に行った際に、基地局３０を運営する第２の通信事業者との間で、新たな接続権の設定契約を行うことにより、混雑度が小さい基地局３０に接続することができる。
【００２５】
しかしながら、ユーザ１０が○○公園に行った際にその設定契約をしようとする場合には、花見の時期であるため、混雑していることが想定される。また、その設定契約を行うことができた場合でも、その設定契約を行う人が多数となり、基地局３０の混雑度が大きくなることも想定される。この場合には、その設定契約を行ったにもかかわらず、所定の通信を行うことができないことも想定される。
【００２６】
そこで、本技術の第１の実施の形態では、ユーザ１０が所望する時間帯（特定時間帯）に所望の場所（特定場所）において、ユーザ１０が無線通信装置３００を適切に使用することができるように、接続権の予約を行う例を示す。ここで、接続権は、無線回線を介して基地局に接続するための権利であり、例えば、ＵＳＩＭ情報に基づいて基地局に接続するための権利である。また、本技術の第１の実施の形態では、接続権は、特定の時間帯において、無線回線を介して特定の基地局にのみ接続するための権利の意味を含むものとする。
【００２７】
［通信システムの構成例］
図２は、本技術の第１の実施の形態における通信システム１００のシステム構成例を示すブロック図である。
【００２８】
通信システム１００は、公衆回線網１０１と、第１のネットワーク制御装置１１０と、第２のネットワーク制御装置１２０と、基地局１１１、１１２、１２１、１２２と、情報処理装置２００と、無線通信装置３００とを備える。
【００２９】
公衆回線網１０１は、電話網、インターネット等の公衆回線網である。また、公衆回線網１０１と、第１のネットワーク制御装置１１０、第２のネットワーク制御装置１２０とは、ゲートウェイ（図示せず）を介して接続される。
【００３０】
基地局１１１、１１２は、第１の通信事業者が運用する基地局であり、第１の通信事業者に係るＵＳＩＭ情報を保持する無線通信装置と、第１のネットワーク制御装置１１０とを無線回線を介して接続する移動体通信基地局（ＮｏｄｅＢ）である。上述したように、無線通信装置３００を所有するユーザ１０は、第１の通信事業者との間で基地局１１１、１１２を利用する契約をしているものとする。
【００３１】
また、図２では、基地局１１１の電波が届く範囲（無線通信可能な範囲）をセル１１３とし、基地局１１２の電波が届く範囲をセル１１４として模式的に示す。
【００３２】
なお、本技術の実施の形態において、基地局は、その基地局そのものと、その基地局により特定されるセルとの双方の意味を含むものとする。例えば、本技術の実施の形態において、基地局を利用する契約は、その基地局により特定されるセルを利用する契約の意味も含むものとする。
【００３３】
基地局１２１、１２２は、第２の通信事業者が運用する基地局であり、第２の通信事業者に係るＵＳＩＭ情報を保持する無線通信装置と、第２のネットワーク制御装置１２０とを無線回線を介して接続する移動体通信基地局（ＮｏｄｅＢ）である。上述したように、ユーザ１０は、第２の通信事業者との間で基地局１２１、１２２を利用する契約をしていないものとする。ここで、基地局１２１は、例えば、ユーザ数が比較的限定されている基地局（フェムトセル基地局等）であるものとする。
【００３４】
また、図２では、基地局１２１の電波が届く範囲をセル１２３とし、基地局１２２の電波が届く範囲をセル１２４として模式的に示す。また、基地局１２１に対応するセル１２３と、基地局１１２に対応するセル１１４とは、その範囲が重複しているものとする。
【００３５】
なお、図２では、説明の容易のため、通信事業者として、第１の通信事業者および第２の通信事業者のみを示すが、３以上の通信事業者が存在する場合についても同様に適用することができる。また、図２では、説明の容易のため、各通信事業者が運用する基地局として、基地局１１１、１１２、１２１、１２２のみを示すが、各通信事業者が運用する基地局が３以上の場合についても同様に適用することができる。
【００３６】
第１のネットワーク制御装置１１０は、無線接続サービスを提供する第１の通信事業者により管理される通信制御装置であり、基地局１１１、１１２を介して接続される無線通信装置の認証制御を行う。そして、第１のネットワーク制御装置１１０は、認証された無線通信装置をゲートウェイ（図示せず）を介して公衆回線網１０１に接続する。
【００３７】
第２のネットワーク制御装置１２０は、無線接続サービスを提供する第２の通信事業者により管理される通信制御装置であり、基地局１２１、１２２を介して接続される無線通信装置の認証制御を行う。そして、第２のネットワーク制御装置１２０は、認証された無線通信装置をゲートウェイ（図示せず）を介して公衆回線網１０１に接続する。
【００３８】
ここで、第１のネットワーク制御装置１１０は、基地局１１１、１１２を介して接続される無線通信装置のうち、特定の場合を除き、有効なＵＳＩＭ情報（契約認証情報）を保持する無線通信装置のみを認証する。また、第２のネットワーク制御装置１２０についても同様に、基地局１２１、１２２を介して接続される無線通信装置のうち、特定の場合を除き、有効なＵＳＩＭ情報（契約認証情報）を保持する無線通信装置のみを認証する。なお、特定の場合は、例えば、緊急用途で発呼する場合（例えば、警察や消防署等に発呼する場合）である。
【００３９】
また、第１のネットワーク制御装置１１０、第２のネットワーク制御装置１２０は、各基地局を介して無線通信装置から送信される各種情報を情報処理装置２００に出力する。また、第１のネットワーク制御装置１１０、第２のネットワーク制御装置１２０は、情報処理装置２００から出力される各種情報を各基地局を介して各無線通信装置に送信する。
【００４０】
情報処理装置２００は、通信サービスを仲介する事業者が運営する情報処理装置（例えば、予約サーバ）であり、第１のネットワーク制御装置１１０、第２のネットワーク制御装置１２０からの情報に基づいて、接続権の予約処理および設定処理を行う。ここで、通信サービスを仲介する事業者は、無線接続サービスを提供する通信事業者、ＭＶＮＯ（Mobile Virtual Network Operator）（いわゆる、仮想通信事業者と称される事業形態の事業者）等が想定される。なお、情報処理装置２００については、図３を参照して詳細に説明する。
【００４１】
［情報処理装置の構成例］
図３は、本技術の第１の実施の形態における情報処理装置２００の機能構成例を示すブロック図である。
【００４２】
情報処理装置２００は、送受信部２１０と、通信制御部２２０と、制御部２３０と、位置情報取得部２４０と、基地局情報記憶部２５０と、予約情報記憶部２６０と、端末管理情報記憶部２７０と、課金情報記憶部２８０とを備える。
【００４３】
送受信部２１０は、通信制御部２２０の制御に基づいて、第１のネットワーク制御装置１１０、第２のネットワーク制御装置１２０、無線通信装置３００との間で各種情報の送受信を行うものである。例えば、送受信部２１０は、無線通信装置３００から送信される各情報（例えば、予約情報要求、予約要求）を、第１のネットワーク制御装置１１０、第２のネットワーク制御装置１２０を介して受信する。そして、送受信部２１０は、その各情報を通信制御部２２０に出力する。また、送受信部２１０は、通信制御部２２０から出力された情報を無線通信装置３００に、第１のネットワーク制御装置１１０、第２のネットワーク制御装置１２０を介して送信する。
【００４４】
通信制御部２２０は、第１のネットワーク制御装置１１０、第２のネットワーク制御装置１２０と送受信部２１０を介して接続され、制御部２３０の制御に基づいて、各種の通信制御を行うものである。すなわち、通信制御部２２０は、第１のネットワーク制御装置１１０、第２のネットワーク制御装置１２０、無線通信装置３００との間で行われる通信制御を行う。
【００４５】
制御部２３０は、メモリ（図示せず）に格納されている制御プログラムに基づいて各種の制御を行うものである。制御部２３０は、例えば、マイクロプロセッサにより構成される。例えば、制御部２３０は、通信制御部２２０と接続され、第１のネットワーク制御装置１１０、第２のネットワーク制御装置１２０との間で行われる各種データの送受信の制御を行う。
【００４６】
例えば、制御部２３０は、無線通信装置３００から送信された予約要求に含まれる各情報（特定領域（予約場所）、特定時間帯（予約時間））を取得する。そして、制御部２３０は、その特定領域に存在する基地局のうちから、特定時間帯に接続することができる基地局を抽出する。続いて、制御部２３０は、その抽出された基地局に無線を介して接続するための接続権を設定するための設定情報を無線通信装置３００に送信し、その接続権の予約登録を行う。すなわち、制御部２３０は、接続権の予約登録がされた場合に、その接続権（例えば、ＵＳＩＭ情報に基づく接続権）をその予約登録がされた無線通信装置３００に設定する制御を行う。なお、予約登録では、予約情報記憶部２６０および端末管理情報記憶部２７０に、その予約に関する各情報が記録される。
【００４７】
ここで、設定情報は、接続権を設定するための情報であり、例えば、通信路暗号化プロトコルにおいて使用される暗号鍵情報、各種サーバのＩＰ（Internet Protocol）アドレス、予約登録に関する情報が含まれる。なお、各種サーバは、ＤＮＳ（Domain Name System）サーバ、ＤＨＣＰ（Dynamic Host Configuration Protocol）サーバ等である。また、ＣＳＣＦ（Call Session Control Function）サーバ等である。また、予約登録に関する情報には、例えば、予約場所に関する位置情報（例えば、緯度、経度、予約場所の範囲）、予約時間に関する時刻情報（例えば、開始時刻、終了時刻）、通信に関する情報（周波数帯、通信方式、接続相手基地局に関する情報）が含まれる。また、設定対象となる接続権が、ＵＳＩＭ情報に基づいて基地局に接続するための権利である場合には、有効なＵＳＩＭ情報を設定するための設定方法（例えば、有効化／無効化処理による設定、ＵＳＩＭ情報の書換による設定）が、設定情報に含まれる。
【００４８】
また、制御部２３０は、その接続権が設定された後にその予約登録に係る基地局を介した通信サービスが終了した場合には、元の接続権を無線通信装置３００に設定させる制御を行う（復元処理）。すなわち、制御部２３０は、対象となる無線通信装置３００についてＵＳＩＭ情報の書換処理および復元処理を行う。また、復元処理を行った後に、制御部２３０は、無線通信装置３００に関する情報を端末管理情報記憶部２７０から削除する。
【００４９】
なお、特定領域に存在する基地局のうちから、特定時間帯に接続することができる基地局が抽出されないことが想定される。この場合には、制御部２３０は、他の無線通信装置に設定されている接続権のキャンセルが発生した場合にのみ、予約要求に応じた接続権を設定することができる設定情報を無線通信装置に送信する。
【００５０】
位置情報取得部２４０は、通信制御部２２０から出力された情報に基づいて、無線通信装置３００が存在する位置を示す位置情報を取得するものであり、この取得された位置情報を制御部２３０に出力する。例えば、位置情報取得部２４０は、無線通信装置３００が備える位置情報取得部３２０（図４に示す）により取得された位置情報を、第１のネットワーク制御装置１１０、第２のネットワーク制御装置１２０を介して取得することができる。なお、位置情報取得部２４０は、定期的または不定期に第１のネットワーク制御装置１１０、第２のネットワーク制御装置１２０から位置情報を取得する。
【００５１】
基地局情報記憶部２５０は、基地局に関する情報（基地局情報）を記憶する記憶部であり、記憶されている基地局情報を制御部２３０に供給する。基地局情報記憶部２５０には、各基地局を識別するための識別情報（基地局ＩＤ）と、各基地局が設置されている位置に関する情報（位置情報）と、各基地局が通信可能な通信方式に関する情報（通信方式情報）とが基地局毎に関連付けて記憶されている。ここで、各基地局が通信可能な通信方式は、無線通信装置３００との間で通信可能な１または複数の通信方式である。例えば、ＬＴＥ（Long Term Evolution）、ＬＴＥ−Ａ（ＬＴＥ−ａｄｖａｎｃｅｄ）、ＩＥＥＥ８０２．１１ａ／ｂ／ｎ／ｇである。また、例えば、Ｗ−ＣＤＭＡ（Wideband Code Division Multiple Access）、ＨＳＰＡ＋（High Speed Packet Access Plus）である。また、例えば、ＧＰＲＳ（General Packet Radio Service）、ＷｉＭＡＸ（Worldwide Interoperability for Microwave Access）である。
【００５２】
予約情報記憶部２６０は、各無線通信装置が基地局に接続するための接続権の予約に関する情報（予約情報）を記憶する記憶部であり、記憶されている予約情報を制御部２３０に供給する。なお、予約情報記憶部２６０の記憶内容については、図４を参照して詳細に説明する。
【００５３】
端末管理情報記憶部２７０は、予約要求に基づく接続権が設定されている無線通信装置を管理するための情報（端末管理情報）を記憶する記憶部であり、記憶されている端末管理情報を制御部２３０に供給する。なお、端末管理情報記憶部２７０の記憶内容については、図５を参照して詳細に説明する。
【００５４】
課金情報記憶部２８０は、予約要求に基づく接続権が設定されている無線通信装置によるその接続権に基づく通信が行われている場合におけるその通信に係る課金に関する情報（課金情報）を記憶する記憶部である。また、課金情報記憶部２８０は、記憶されている課金情報を制御部２３０に供給する。
【００５５】
［予約情報記憶部の内容例］
図４は、本技術の第１の実施の形態における予約情報記憶部２６０の記憶内容の一例を模式的に示す図である。
【００５６】
予約情報記憶部２６０は、各無線通信装置からの予約要求に基づいて設定された接続権の予約に関する情報（予約情報）を記憶する記憶部である。具体的には、予約情報記憶部２６０には、時刻情報２６１と、予約端末ＩＤ２６２とが基地局毎に関連付けて記憶される。
【００５７】
時刻情報２６１は、所定間隔の時間帯を示す情報である。なお、図６では、説明の容易のため、３０分間隔の時間帯を所定間隔として示す。
【００５８】
予約端末ＩＤ２６２は、予約要求に基づく接続権が設定されている無線通信装置を識別するための識別情報である。なお、図６では、説明の容易のため、同一時間帯に予約することができる無線通信装置の数を５とする場合を例にして説明する。また、１つの無線通信装置は、複数の時間帯に亘って予約を行うことができるものとする。
【００５９】
なお、情報処理装置２００による予約処理（予約情報記憶部２６０に記憶されている予約情報を用いた予約処理）については、図８乃至図１４、図１７等を参照して詳細に説明する。
【００６０】
［端末管理情報記憶部の内容例］
図５は、本技術の第１の実施の形態における端末管理情報記憶部２７０の記憶内容の一例を模式的に示す図である。
【００６１】
端末管理情報記憶部２７０は、各無線通信装置からの予約要求に基づいて予約が成立した無線通信装置またはその予約要求に基づいてキャンセル待ち登録がされた無線通信装置を管理するための情報（端末管理情報）を記憶する記憶部である。具体的には、端末管理情報記憶部２７０には、ユーザＩＤ２７１と、基地局ＩＤ２７２と、事業者ＩＤ２７３と、キャンセル待ち予約時刻２７４と、開始時刻２７５と、終了時刻２７６と、端末ＩＤ２７７と、通信方式２７８とがユーザ毎に関連付けて記憶される。
【００６２】
ユーザＩＤ２７１は、無線通信装置を所有するユーザを識別するための識別情報である。
【００６３】
基地局ＩＤ２７２は、予約対象となった基地局を識別するための識別情報である。
【００６４】
事業者ＩＤ２７３は、予約対象となった基地局を運営する通信事業者を識別するための識別情報である。
【００６５】
キャンセル待ち予約時刻２７４は、予約要求を行ったユーザによりキャンセル待ち予約がされた時刻を示す情報である。
【００６６】
開始時刻２７５は、予約登録がされている場合にその予約登録に係る時間帯の開始時刻を示す情報である。
【００６７】
終了時刻２７６は、予約登録がされている場合にその予約登録に係る時間帯の終了時刻を示す情報である。
【００６８】
端末ＩＤ２７７は、ユーザが所有する無線通信装置を識別するための識別情報である。
【００６９】
通信方式２７８は、ユーザが所有する無線通信装置における通信方式を示す情報である。
【００７０】
［無線通信装置の構成例］
図６は、本技術の第１の実施の形態における無線通信装置３００の機能構成例を示すブロック図である。
【００７１】
無線通信装置３００は、通信制御部３１０と、第１送受信部３１１と、第２送受信部３１２と、アンテナ３１３、３１４と、位置情報取得部３２０とを備える。また、無線通信装置３００は、制御部３３０と、操作受付部３４０と、表示部３５０と、ＵＳＩＭ情報書換部３６０と、ＵＳＩＭ情報記憶部３７０と、設定情報記憶部３８０と、省電力制御部３９０とを備える。無線通信装置３００は、例えば、通話およびデータ通信が可能な携帯電話装置により実現される。なお、マイクロフォンやスピーカ等については、図示および説明を省略する。
【００７２】
第１送受信部３１１および第２送受信部３１２は、通信制御部３１０の制御に基づいて、各種情報を送受信するものである。すなわち、第１送受信部３１１は、各基地局から送信された無線信号をアンテナ３１３を介して受信する受信部と、アンテナ３１３を介して各基地局へ無線信号を送信する送信部とを含み、所定の無線通信サービスに対応する通信部である。また、第２送受信部３１２は、各基地局から送信された無線信号をアンテナ３１４を介して受信する受信部と、アンテナ３１４を介して各基地局へ無線信号を送信する送信部とを含み、所定の無線通信サービスに対応する通信部である。ここで、第１送受信部３１１および第２送受信部３１２に対応する無線通信サービスは、互いに異なるものとする。例えば、第１送受信部３１１および第２送受信部３１２は、上述した通信方式（ＬＴＥ、ＬＴＥ−Ａ、ＩＥＥＥ８０２．１１ａ／ｂ／ｎ／ｇ、Ｗ−ＣＤＭＡ、ＨＳＰＡ＋、ＧＰＲＳ、ＷｉＭＡＸ）に従って通信することが可能である。
【００７３】
通信制御部３１０は、制御部３３０の制御に基づいて、各種の通信制御を行うものである。例えば、通信制御部３１０は、第１のネットワーク制御装置１１０、第２のネットワーク制御装置１２０、情報処理装置２００との間で行われる通信制御を行う。
【００７４】
位置情報取得部３２０は、無線通信装置３００が存在する位置を示す位置情報を取得するものであり、この取得された位置情報を制御部３３０に出力する。位置情報取得部３２０は、例えば、ＧＰＳ（Global Positioning System）信号受信アンテナにより受信されたＧＰＳ信号に基づいて位置情報を算出するＧＰＳユニットにより実現することができる。この算出された位置情報には、ＧＰＳ信号の受信時における緯度、経度、高度等の位置に関する各データが含まれる。また、他の位置情報の取得方法により位置情報を取得する位置情報取得装置を用いるようにしてもよい。例えば、周囲に存在する無線ＬＡＮ（Local Area Network）によるアクセスポイント情報を用いて位置情報を導き出し、この位置情報を取得する位置情報取得装置を用いるようにしてもよい。また、位置情報取得部３２０は、位置情報とともに時刻情報を取得し、この時刻情報を位置情報に含めるようにしてもよい。この場合には、時刻情報を時刻同期のために使用することができる。例えば、時刻情報として、ＧＰＳ等の時刻同期衛星のデータを取得して使用することができる。
【００７５】
制御部３３０は、メモリ（図示せず）に格納されている制御プログラムに基づいて各種の制御を行うものである。制御部３３０は、例えば、マイクロプロセッサにより構成される。例えば、制御部３３０は、通信制御部３１０と接続され、基地局を介して接続される第１のネットワーク制御装置１１０、第２のネットワーク制御装置１２０との間で行われる各種データの送受信の制御を行う。
【００７６】
例えば、通信制御部３１０は、制御部３３０の制御に基づいて、特定時間帯に特定領域において無線を介して所定のネットワークに接続するための接続権の予約要求を、この予約要求に応じた接続権の予約登録を行う情報処理装置２００に送信する。また、制御部３３０は、その予約要求に応じた設定情報に基づいて、その接続権を設定する制御を行う。そして、制御部３３０は、その設定された接続権に基づいて、特定領域に設置されている基地局に接続するための接続処理を行う。この場合に、制御部３３０は、特定時間帯になった場合において、無線通信装置３００が特定領域に存在する場合にのみ、その接続処理を行う。
【００７７】
操作受付部３４０は、ユーザにより操作された操作入力を受け付ける操作受付部であり、受け付けられた操作入力に応じた信号を制御部３３０に出力する。操作受付部３４０は、例えば、数字キーやアルファベットキー等の各種キーを備える。
【００７８】
表示部３５０は、制御部３３０の制御に基づいて、各種情報（文字情報や時刻情報等）を表示する表示部である。表示部３５０は、例えば、予約操作に関する各情報（例えば、図８乃至図１１に示す表示画面）を表示する。なお、表示部３５０として、例えば、有機ＥＬ（Electro Luminescence）パネル、ＬＣＤ（Liquid Crystal Display）パネル等の表示パネルを用いることができる。なお、操作受付部３４０および表示部３５０については、使用者がその指を表示面に接触または近接することにより操作入力を行うことが可能なタッチパネルを用いて一体で構成することができる。
【００７９】
ＵＳＩＭ情報書換部３６０は、制御部３３０の制御に基づいて、ＵＳＩＭ情報記憶部３７０に保持されているＵＳＩＭ情報（契約認証情報）の書換処理を行うものである。ここで、第１の通信事業者に係るＵＳＩＭ情報を保持している状態は、第１の通信事業者に係る基地局１１１、１１２に接続するための接続権が設定されている状態として把握することができる。なお、接続権を移転する場合には、ＵＳＩＭ情報の有効化処理および無効化処理により、その接続権を移転することができる。また、ＵＳＩＭ情報自体の転送処理により、その接続権の移転を行うことができる。
【００８０】
ＵＳＩＭ情報記憶部３７０は、ＵＳＩＭ情報（契約認証情報）を記憶する記憶部である。ＵＳＩＭ情報記憶部３７０として、例えば、ＵＩＣＣ（Universal Integrated Circuit）カードを用いるようにしてもよく、ＵＳＩＭ情報をセキュアに保つための専用メモリを用いるようにしてもよい。なお、ＵＳＩＭ情報記憶部３７０としてＵＩＣＣカードを用いる場合には、ＵＳＩＭ情報が固定的に書き込まれているものではなく、ＵＳＩＭ情報の有効化処理および無効化処理が可能なものを用いる。すなわち、ＵＳＩＭ情報書換部３６０がＵＳＩＭ情報の有効化処理および無効化処理が可能なものを用いる。また、ＵＳＩＭ情報の書換処理が可能なものを用いる。なお、ＵＳＩＭ情報の有効化処理および無効化処理については、３ＧＰＰ（Third Generation Partnership Project）に規定されている有効化処理および無効化処理により行うことができる。これらの各処理は、例えば、携帯電話装置の販売ショップで行われている。また、ＵＳＩＭ情報をＵＳＩＭ情報記憶部３７０に記憶する場合には、他の通信事業者に読み取られないように暗号化して記憶するようにしてもよい。
【００８１】
設定情報記憶部３８０は、情報処理装置２００から送信された設定情報を記憶する記憶部である。この設定情報に基づいて、予約登録に係る接続権が設定される。
【００８２】
省電力制御部３９０は、無線通信装置３００において省電力モードを設定するための制御を行うものである。省電力モードは、例えば、消費電力の低減を目的として所定動作（例えば、送受信動作）を行わない状態を定期的または間欠的に生じさせるモードである。例えば、情報処理装置２００からの起動コマンドを待ちうける間、省電力モードを設定することができる。
【００８３】
［基地局の構成例］
図７は、本技術の第１の実施の形態における基地局４００の機能構成例を示すブロック図である。
【００８４】
基地局４００は、通信制御部４１０と、第１送受信部４１１と、第２送受信部４１２と、アンテナ４１３、４１４と、送受信部４１５と、位置情報取得部４２０とを備える。また、基地局４００は、制御部４３０と、記憶部４４０と、設定情報記憶部４５０と、省電力制御部４６０とを備える。なお、基地局４００は、第１の通信事業者により運営されている基地局であり、第１のネットワーク制御装置１１０に接続されているものとする。なお、第１の通信事業者により運営されている他の基地局、第２の通信事業者により運営されている基地局についても、基地局４００と同様の構成である。このため、基地局４００以外の基地局についても説明を省略する。
【００８５】
第１送受信部４１１および第２送受信部４１２は、通信制御部４１０の制御に基づいて、各種情報を送受信するものである。すなわち、第１送受信部４１１は、各無線通信装置から送信された無線信号をアンテナ４１３を介して受信する受信部と、アンテナ４１３を介して各無線通信装置へ無線信号を送信する送信部とを含み、所定の無線通信サービスに対応する通信部である。また、第２送受信部４１２は、各無線通信装置から送信された無線信号をアンテナ４１４を介して受信する受信部と、アンテナ４１４を介して各無線通信装置へ無線信号を送信する送信部とを含み、所定の無線通信サービスに対応する通信部である。ここで、第１送受信部４１１および第２送受信部４１２に対応する無線通信サービスは、互いに異なるものとする。また、第１送受信部４１１および第２送受信部４１２に対応する無線通信サービスは、無線通信装置３００における無線通信サービス（第１送受信部３１１および第２送受信部３１２）に対応するものとする。
【００８６】
送受信部４１５は、通信制御部４１０の制御に基づいて、第１のネットワーク制御装置１１０に対して各種情報を送受信するものである。すなわち、送受信部４１５は、第１のネットワーク制御装置１１０から送信された情報を受信する受信部と、第１のネットワーク制御装置１１０へ情報を送信する送信部とを含む通信部である。
【００８７】
通信制御部４１０は、制御部４３０の制御に基づいて、各種の通信制御を行うものである。例えば、通信制御部４１０は、情報処理装置２００との間で行われる通信制御を第１送受信部４１１または第２送受信部４１２を介して行う。また、例えば、通信制御部４１０は、第１のネットワーク制御装置１１０との間で行われる通信制御を送受信部４１５を介して行う。
【００８８】
位置情報取得部４２０は、通信制御部４１０から出力された情報に基づいて、無線通信装置３００が存在する位置を示す位置情報を取得するものであり、この取得された位置情報を制御部４３０に出力する。例えば、位置情報取得部４２０は、無線通信装置３００が備える位置情報取得部３２０により取得された位置情報を、定期的または不定期に取得することができる。
【００８９】
制御部４３０は、メモリ（図示せず）に格納されている制御プログラムに基づいて各種の制御を行うものである。制御部４３０は、例えば、マイクロプロセッサにより構成される。例えば、制御部４３０は、通信制御部４１０と接続され、第１のネットワーク制御装置１１０、無線通信装置３００との間で行われる各種データの送受信の制御を行う。
【００９０】
記憶部４４０は、各種情報を記憶するメモリであり、各種情報が記憶される。
【００９１】
設定情報記憶部４５０は、情報処理装置２００から送信された設定情報を記憶する記憶部である。この設定情報は、無線通信装置３００の設定情報記憶部３８０に記憶されている設定情報と同一である。このため、例えば、設定情報記憶部４５０に記憶されている設定情報に基づいて、基地局４００が、予約登録に係る接続権を無線通信装置３００に設定するようにしてもよい。
【００９２】
省電力制御部４６０は、基地局４００において省電力モードを設定するための制御を行うものである。例えば、情報処理装置２００からの起動コマンドを待ちうける間、省電力モードを設定することができる。
【００９３】
［予約時における各装置間の通信例］
図８乃至図１１は、本技術の第１の実施の形態における無線通信装置３００に表示される表示画面例を示す図である。これらの表示画面については、図１２に示すシーケンスチャートを参照して詳細に説明する。
【００９４】
図１２は、本技術の第１の実施の形態における通信システム１００を構成する各装置間における通信処理例を示すシーケンスチャートである。図１２では、無線通信装置３００が第１の通信事業者に係るＵＳＩＭ情報を保持している場合において、無線通信装置３００のユーザが、第２の通信事業者が運営する基地局（例えば、図２に示す基地局１２１）に接続するための接続権を予約する例を示す。また、図１２は、無線通信装置３００および第１のネットワーク制御装置１１０を接続する基地局を省略して示す。
【００９５】
最初に、第１の通信事業者に係るＵＳＩＭ情報を保持する無線通信装置３００において、予約要求を行う際に用いられる予約情報を取得するための予約情報要求を行うユーザ操作が行われる。このユーザ操作が行われると、予約情報要求が、無線通信装置３００から情報処理装置２００に第１のネットワーク制御装置１１０を介して送信される（６０１乃至６０４）。ここで、予約要求は、例えば、ユーザが所望する時間帯および場所において無線接続サービスの提供を受けるための接続権を予約するための要求を意味する。また、予約情報は、例えば、図８に示す予約操作画面５００を表示させるための情報である。
【００９６】
無線通信装置３００からの予約情報要求を受信すると（６０４）、情報処理装置２００は、その予約情報要求に対応する予約情報を、その予約情報要求を送信した無線通信装置３００に第１のネットワーク制御装置１１０を介して送信する（６０５乃至６０８）。情報処理装置２００からの予約情報を受信すると（６０８）、無線通信装置３００の制御部３３０は、その予約情報に基づいて、予約要求を行うための予約操作画面を表示部３５０に表示する（６０９）。この表示例を図８に示す。
【００９７】
図８には、情報処理装置２００からの予約情報を受信した際に表示部３５０に表示される表示画面（予約操作画面５００）の一例を示す。予約操作画面５００は、ユーザが所望する予約条件（場所、時間帯、通信費用等）を指定して、その指定された予約要件に対応する接続権の予約を行うための表示画面である。具体的には、予約操作画面５００には、詳細設定ボタン５０２と、確定ボタン５０３と、戻るボタン５０４と、場所指定領域５１０と、時間指定領域５２０と、通信費用指定領域５２５とが表示される。
【００９８】
詳細設定ボタン５０２は、ユーザが所望する予約条件（場所、時間帯、通信費用等）について、ユーザ操作による詳細設定を行うための詳細設定画面を表示させる際に押下されるボタンである。詳細設定ボタン５０２の押下後に表示される詳細設定画面を用いて、予約条件の詳細設定を行うことにより、ユーザが所望する予約条件を詳細に設定することができる。なお、詳細設定画面については、ここでの図示およびその説明を省略する。
【００９９】
確定ボタン５０３は、予約操作画面５００において操作入力（入力操作、選択操作等）が行われた後に、その操作内容を確定する際に押下されるボタンである。
【０１００】
戻るボタン５０４は、例えば、直前に表示されていた表示画面に戻る場合に押下されるボタンである。
【０１０１】
場所指定領域５１０は、無線通信装置３００を用いて通信を行う場所を指定するための領域である。例えば、場所指定領域５１０には、住所入力欄５１１と、範囲指定欄５１２と、オプション指定欄５１３と、地図から選ぶボタン５１４とが設けられている。
【０１０２】
住所入力欄５１１は、無線通信装置３００を用いて通信を行う場所として、その住所を入力するための領域である。
【０１０３】
範囲指定欄５１２は、無線通信装置３００を用いて通信を行う場所として、住所入力欄５１１に入力された住所を中心とする範囲（例えば、円状の範囲）を入力（例えば、円の半径を入力）するための領域である。
【０１０４】
オプション指定欄５１３は、無線通信装置３００を用いて通信を行う場所に関する他の条件を指定するための領域である。例えば、予約時間帯において、予約場所の範囲外に通信中の無線通信装置３００が出てしまった場合でも、その通信を継続して行うことを所望する場合には、「範囲外予測予約あり」を指定することができる。
【０１０５】
また、住所入力欄５１１、範囲指定欄５１２およびオプション指定欄５１３のそれぞれの右隣に配置されている詳細ボタンを押下することにより、対応する領域に関する詳細設定画面を表示させることができる。
【０１０６】
地図から選ぶボタン５１４は、無線通信装置３００を用いて通信を行う場所を指定するための地図を表示させる際に押下されるボタンである。例えば、地図から選ぶボタン５１４の押下後に表示される地図を用いて、無線通信装置３００を用いて通信を行う場所（例えば、一定範囲）を指定することができる。
【０１０７】
時間指定領域５２０は、無線通信装置３００を用いて通信を行う時間帯を指定するための領域である。例えば、時間指定領域５２０には、開始時刻入力欄５２１と、終了時刻入力欄５２２と、カレンダーから選ぶボタン５２３とが設けられている。
【０１０８】
開始時刻入力欄５２１は、無線通信装置３００を用いて通信を行う時間帯のうち、開始時刻を入力するための領域であり、終了時刻入力欄５２２は、無線通信装置３００を用いて通信を行う時間帯のうち、終了時刻を入力するための領域である。
【０１０９】
カレンダーから選ぶボタン５２３は、無線通信装置３００を用いて通信を行う時間帯を指定するためのカレンダーを表示させる際に押下されるボタンである。例えば、カレンダーから選ぶボタン５２３の押下後に表示されるカレンダーを用いて、無線通信装置３００を用いて通信を行う時間帯を指定することができる。
【０１１０】
通信費用指定領域５２５は、無線通信装置３００を用いて通信を行う場合に、ユーザが所望する通信費用を指定するための領域である。例えば、プルダウンボタン５２７を押下することにより通信費用の一覧を表示させ、この通信費用の一覧のうちから、ユーザが所望する通信費用を選択することができる。
【０１１１】
例えば、予約操作画面５００において、ユーザによる予約条件の指定操作が行われた後に確定ボタン５０３が押下された場合には、その指定操作に係る予約要求を通信制御部３１０が情報処理装置２００に送信する（６１０乃至６１３）。すなわち、その指定操作に係る予約要求が無線通信装置３００から情報処理装置２００に第１のネットワーク制御装置１１０を介して送信される（６１０乃至６１３）。ここで、予約要求には、予約操作画面５００において指定された各予約条件（場所、時間帯、通信費用等）と、無線通信装置３００に関する情報（端末ＩＤ、周波数帯、使用可能な通信方式等）とが含まれる。
【０１１２】
無線通信装置３００からの予約要求を受信すると（６１３）、制御部２３０は、その予約要求について予約処理を行う（６１４）。
【０１１３】
ここで、予約処理について説明する。最初に、制御部２３０が、基地局情報記憶部２５０に記憶されている基地局情報に基づいて、受信した予約要求に含まれる予約場所に対応する基地局を抽出する。すなわち、受信した予約要求に含まれる予約場所が、セル内に含まれる基地局（１または複数の基地局）が抽出される。
【０１１４】
続いて、制御部２３０が、抽出された基地局と、予約要求を送信した無線通信装置３００との間での通信に使用することができる通信方式を特定する。すなわち、抽出された基地局が通信可能な通信方式と、予約要求を送信した無線通信装置３００が通信可能な通信方式とのうちで、一致する通信方式が特定される。なお、予約要求を送信した無線通信装置３００が通信可能な通信方式に関する情報は、予約要求に含まれる。
【０１１５】
続いて、制御部２３０が、予約場所に対応する基地局のうちから、予約要求に係る予約条件（例えば、通信速度、通信費用）に適合する通信方式を備える基地局を抽出する。すなわち、特定された通信方式を備える基地局のうちから、予約要求に係る予約条件に適合する通信方式を備える基地局が抽出される。
【０１１６】
続いて、制御部２３０が、予約要求に係る予約条件に適合する通信方式を備える基地局のうちから、予約要求に係る時間帯に空きがある基地局が存在するか否かを判断する。すなわち、予約情報記憶部２６０に記憶されている予約情報に基づいて、予約要求に係る時間帯に空きがある基地局が存在するか否かが判断される。例えば、図４に示すように、基地局（基地局ＩＤ：ＡＰ００１）については、４／２（土）の２３：００乃至２４：００の時間帯は、５つの枠の全てが予約されているため、予約要求に係る時間帯に空きがないと判断される。一方、４／２（土）の１０：００乃至１４：３０の時間帯は、１または２の枠が空いているため、予約要求に係る時間帯に空きがあると判断される。
【０１１７】
続いて、予約要求に係る時間帯に空きがある基地局が存在する場合には、制御部２３０が、それらの基地局のうちから、予約要求に係る予約条件に最も適合する基地局を選択する。例えば、予約要求に係る時間帯に空きがある基地局が１つのみ存在する場合には、その基地局が選択される。また、予約要求に係る時間帯に空きがある基地局が複数存在する場合には、その複数の基地局のうちから、予約要求に係る予約条件に最も適合する基地局が選択される。例えば、予約要求に係る予約条件として、通信速度が速い基地局が設定されている場合には、その複数の基地局のうちから、通信速度が最も速い基地局が選択される。
【０１１８】
また、予約要求に係る時間帯に空きがある基地局が存在しない場合には、制御部２３０が、予約要求に係る予約が不成立であると判定する。このように、無線通信装置３００から受信した予約要求について予約処理が行われる。
【０１１９】
なお、この例では、予約要求を受信した直後にその予約要求についての予約処理を行う例を示すが、一定時間内に受信した複数の予約要求のそれぞれについて所定形式（例えば、オークション形式）の予約処理を行うようにしてもよい。例えば、周波数帯、時間帯、場所別の基地局の最低使用料金とキャンセル料金を含む予約情報を情報処理装置２００が各無線通信装置に送信してそれらの情報を表示させる。そして、情報処理装置２００が指定する期限で入札が行われ、最も高い料金を提示した無線通信装置が、その周波数帯、時間帯、場所における接続権を設定することができるようにする。
【０１２０】
続いて、予約処理が終了した場合には（６１４）、通信制御部２２０は、その結果を含む予約結果情報を、無線通信装置３００に第１のネットワーク制御装置１１０を介して送信する（６１５乃至６１８）。
【０１２１】
情報処理装置２００からの予約結果情報を受信すると（６１８）、無線通信装置３００の制御部３３０は、その予約結果情報に基づいて、予約登録画面を表示部３５０に表示する（６１９）。この表示例を図９および図１１に示す。
【０１２２】
図９には、情報処理装置２００からの予約結果情報を受信した際に表示部３５０に表示される表示画面（予約登録画面５３０）の一例を示す。予約登録画面５３０は、予約要求に対して予約が成立した場合に、その予約を確定させるための登録を行うための表示画面である。具体的には、予約登録画面５３０には、場所表示領域５３１と、時間表示領域５３２と、通信費用表示領域５３３と、登録ボタン５３４と、修正ボタン５３５と、キャンセル料金ボタン５３６とが表示される
【０１２３】
場所表示領域５３１は、無線通信装置３００を用いて通信を行う場所（予約可能な場所）を表示する領域である。すなわち、場所表示領域５３１には、図８に示す場所指定領域５１０において指定された内容が表示される。
【０１２４】
時間表示領域５３２は、無線通信装置３００を用いて通信を行う時間帯（予約可能な時間帯）を表示する領域である。すなわち、時間表示領域５３２には、図８に示す時間指定領域５２０において指定された内容が表示される。
【０１２５】
通信費用表示領域５３３は、無線通信装置３００を用いて通信を行う場合に適用される通信費用を表示する領域である。すなわち、通信費用表示領域５３３には、図８に示す通信費用指定領域５２５において指定された内容が表示される。
【０１２６】
登録ボタン５３４は、予約登録画面５３０に表示されている予約内容を正式に登録する際に押下されるボタンである。登録ボタン５３４が押下された場合には、予約登録画面５３０に表示されている予約内容を含む予約登録情報が、情報処理装置２００に送信され、予約登録画面５３０に表示されている予約内容の登録処理が行われる。
【０１２７】
修正ボタン５３５は、予約登録画面５３０に表示されている予約内容の一部を修正する際に押下されるボタンである。修正ボタン５３５が押下された後に、ユーザは、予約登録画面５３０に表示されている予約内容の一部を修正することができる。この修正は、例えば、予約登録画面５３０に表示されている予約内容の範囲内において修正を行うことができる。例えば、場所表示領域５３１に表示されている場所を限定する修正や、時間表示領域５３２に表示されている時間帯を限定する修正を行うことができる。このように予約内容の一部について修正が行われた場合には、修正後の内容に関する予約要求が、情報処理装置２００に送信されて、新たに予約処理が行われる。
【０１２８】
キャンセル料金ボタン５３６は、予約登録画面５３０に表示されている予約内容を正式に登録（予約登録）した後にキャンセルする場合に発生するキャンセル料金を確認する際に押下されるボタンである。キャンセル料金ボタン５３６が押下された場合には、図１０に示すキャンセル料金表示画面５３７が表示される。
【０１２９】
図１０には、予約登録画面５３０におけるキャンセル料金ボタン５３６が押下された場合に表示部３５０に表示される表示画面（キャンセル料金表示画面５３７）の一例を示す。キャンセル料金表示画面５３７は、予約登録がされた後に、その予約をキャンセルする場合に発生するキャンセル料金を表示する表示画面である。具体的には、キャンセル料金表示画面５３７には、各期間におけるキャンセル料金の一覧と、戻るボタン５３８とが表示される。
【０１３０】
図１１には、情報処理装置２００からの予約結果情報を受信した際に表示部３５０に表示される表示画面（キャンセル待ち予約登録画面５４０）の一例を示す。キャンセル待ち予約登録画面５４０は、予約要求に対して予約が成立しなかった場合に、その予約に関するキャンセル待ちの登録を行うための表示画面である。具体的には、キャンセル待ち予約登録画面５４０には、場所表示領域５４１と、時間表示領域５４２と、プラン表示領域５４３と、キャンセル待ち登録ボタン５４４と、終了ボタン５４５とが表示される。
【０１３１】
場所表示領域５４１は、無線通信装置３００を用いて通信を行う場所（キャンセル予約を行う場所）を表示する領域である。すなわち、場所表示領域５４１には、図８に示す場所指定領域５１０において指定された内容が表示される。
【０１３２】
時間表示領域５４２は、無線通信装置３００を用いて通信を行う時間帯（キャンセル予約を行う時間帯）を表示する領域である。すなわち、時間表示領域５４２には、図８に示す時間指定領域５２０において指定された内容が表示される。
【０１３３】
プラン表示領域５４３は、無線通信装置３００を用いて通信を行う場合に適用されるプランを表示する領域である。すなわち、プラン表示領域５４３には、図８に示す通信費用指定領域５２５等において指定された内容が表示される。
【０１３４】
キャンセル待ち登録ボタン５４４は、キャンセル待ち予約登録画面５４０に表示されている予約内容を正式に登録する際に押下されるボタンである。キャンセル待ち登録ボタン５４４が押下された場合には、キャンセル待ち予約登録画面５４０に表示されている予約内容を含むキャンセル待ち予約登録情報が、情報処理装置２００に送信される。そして、キャンセル待ち予約登録画面５４０に表示されている予約内容のキャンセル待ち予約登録処理が行われる。
【０１３５】
終了ボタン５４５は、キャンセル待ち予約登録画面５４０を他の表示画面に変更する場合に押下されるボタンである。
【０１３６】
ここで、予約要求に係る予約が成立した場合について説明する。予約要求に係る予約が成立した場合には、無線通信装置３００の制御部３３０は、その予約結果情報に基づいて、予約登録画面（図９に示す予約登録画面５３０）を表示部３５０に表示する（６１９）。そして、予約登録画面５３０において、登録ボタン５３４が押下された場合には、通信制御部３１０が、予約登録画面５３０に表示されている予約内容を含む予約登録情報を情報処理装置２００に送信する（６２０乃至６２３）。すなわち、予約登録情報が、無線通信装置３００から情報処理装置２００に第１のネットワーク制御装置１１０を介して送信される（６２０乃至６２３）。
【０１３７】
その予約登録情報を情報処理装置２００が受信すると（６２３）、制御部２３０が、予約登録処理を行う（６２４）。すなわち、予約情報記憶部２６０において、その予約登録情報に係る基地局の時間帯に、その予約登録情報に係る無線通信装置の端末ＩＤが記録される。また、端末管理情報記憶部２７０に、その予約登録情報に係る各内容が記録される。
【０１３８】
また、無線通信装置３００の制御部３３０は、予約登録情報を送信した後に（６２０）、予約登録処理を行う（６２５）。すなわち、設定情報記憶部３８０に、その予約登録情報に係る各内容が設定情報として記録される。このように予約結果情報には、設定情報が含まれる。
【０１３９】
次に、予約要求に係る予約が成立しなかった場合について説明する。予約要求に係る予約が成立しなかった場合には、無線通信装置３００の制御部３３０は、その予約結果情報に基づいて、予約登録画面（図１１に示すキャンセル待ち予約登録画面５４０）を表示部３５０に表示する（６１９）。そして、キャンセル待ち予約登録画面５４０において、キャンセル待ち登録ボタン５４４が押下された場合には、制御部３３０が、予約登録情報を情報処理装置２００に送信する（６２０乃至６２３）。すなわち、キャンセル待ち予約登録画面５４０に表示されている予約内容を含む予約登録情報が、無線通信装置３００から情報処理装置２００に第１のネットワーク制御装置１１０を介して送信される（６２０乃至６２３）。
【０１４０】
その予約登録情報を情報処理装置２００が受信すると（６２３）、制御部２３０が、予約登録処理（キャンセル予約登録処理）を行う（６２４）。すなわち、端末管理情報記憶部２７０に、その予約登録情報に係る各内容（図７に示すキャンセル待ち予約時刻２７４等）が記録される。
【０１４１】
また、無線通信装置３００の制御部３３０は、予約登録情報を送信した後に（６２０）、予約登録処理を行う（６２５）。すなわち、設定情報記憶部３８０に、その予約登録情報に係る各内容が設定情報として記録される。
【０１４２】
［予約に関する表示例］
図１３は、本技術の第１の実施の形態における無線通信装置３００に表示される表示画面例を示す図である。
【０１４３】
図１３に示す予約内容通知画面５５０は、設定情報記憶部３８０に記憶されている設定情報に基づいて、予約されている時間帯の所定時間前（例えば、１時間前）に表示される画面である。具体的には、予約内容通知画面５５０には、予約場所表示領域５５１と、予約時間表示領域５５２と、通信費用表示領域５５３と、戻るボタン５５４と、詳細ボタン５５５とが表示される。
【０１４４】
予約場所表示領域５５１は、無線通信装置３００を用いて通信を行う予約場所を表示する領域である。すなわち、予約場所表示領域５５１には、図８に示す場所指定領域５１０において指定された内容が表示される。
【０１４５】
予約時間表示領域５５２は、無線通信装置３００を用いて通信を行う予約時間帯を表示する領域である。すなわち、予約時間表示領域５５２には、図８に示す時間指定領域５２０において指定された内容が表示される。
【０１４６】
通信費用表示領域５５３は、無線通信装置３００を用いて通信を行う場合に適用される通信費用を表示する領域である。すなわち、通信費用表示領域５５３には、図８に示す通信費用指定領域５２５等において指定された内容が表示される。
【０１４７】
戻るボタン５５４は、例えば、直前に表示されていた表示画面に戻る場合に押下されるボタンである。
【０１４８】
詳細ボタン５５５は、予約内容通知画面５５０に表示されている予約条件について、さらに詳細な内容を含む詳細画面を表示させる際に押下されるボタンである。詳細ボタン５５５の押下後に表示される詳細画面を見ることにより、ユーザが予約条件を詳細に確認することができる。なお、詳細画面については、ここでの図示およびその説明を省略する。
【０１４９】
このように、予約されている時間帯の所定時間前に予約内容通知画面５５０を表示部３５０に表示することにより、予約内容をユーザに通知することができる。これにより、ユーザが予約を忘れているような場合でも、その予約の内容を容易に把握させることができる。なお、予約内容通知画面５５０は、一定時間毎に断続的に表示させるようにしてもよく、予約場所に関する地図を同時に表示させるようにしてもよい。
【０１５０】
［予約内容の実行時における各装置間の通信例］
図１４は、本技術の第１の実施の形態における通信システム１００を構成する各装置間における通信処理例を示すシーケンスチャートである。なお、図１４では、第２の通信事業者が運営する基地局に接続する接続権を予約している場合における通信処理例を示す。すなわち、図１４では、無線通信装置３００が第１の通信事業者に係るＵＳＩＭ情報を保持している場合において、第２の通信事業者が運営する基地局（例えば、図２に示す基地局１２１）に接続する例を示す。また、図１４に示す基地局は、第２の通信事業者が運営する基地局であるものとする。
【０１５１】
情報処理装置２００の制御部２３０は、予約情報記憶部２６０および端末管理情報記憶部２７０の内容に基づいて、無線通信装置３００により行われた予約登録に係る予約時間（開始時刻）に達したか否かを監視する。そして、その予約時間に達した場合には、制御部２３０は、その予約登録に係る基地局に接続指示情報を第２のネットワーク制御装置１２０を介して送信する（６３１乃至６３４）。また、制御部２３０は、その予約登録に係る無線通信装置３００に接続指示情報を第１のネットワーク制御装置１１０を介して送信する（６３５、６３６）。ここで、接続指示情報は、予約登録に係る基地局および無線通信装置間における接続処理の開始を指示する情報であり、設定情報を含む。
【０１５２】
続いて、予約登録に係る無線通信装置３００、基地局、第２のネットワーク制御装置１２０間における接続処理が行われる（６３７乃至６３９）。この接続処理では、最初に、無線通信装置３００の制御部３３０が、第２の通信事業者に係る有効なＵＳＩＭ情報を設定する。例えば、ＵＳＩＭ情報の有効化処理により、第２の通信事業者に係る有効なＵＳＩＭ情報を設定する場合には、制御部３３０は、ＵＳＩＭ情報書換部３６０にＵＳＩＭ情報の有効化処理を行わせる。また、例えば、第２の通信事業者に係る有効なＵＳＩＭ情報が接続指示情報に含まれ、この接続指示情報に含まれるＵＳＩＭ情報を用いる場合を想定する。この場合には、制御部３３０は、第２の通信事業者に係る有効なＵＳＩＭ情報の書込処理をＵＳＩＭ情報書換部３６０に行わせる。
【０１５３】
ここで、無線通信装置３００が予約場所に存在しない場合も想定される。この場合には、制御部２３０は、開始時刻から一定時間が経過するまで監視を継続し、一定時間以内に無線通信装置３００が予約場所に移動していない場合には、エラー処理を行う。
【０１５４】
また、接続処理が終了した場合には（６３７乃至６３９）、予約登録に係る基地局を介して、無線通信装置３００と第２のネットワーク制御装置１２０との間で通信処理が行われる（６４０、６４１）。この場合には、情報処理装置２００の制御部２３０が、予約登録に係る第２の通信事業者の課金情報（課金情報記憶部２８０に記憶されている課金情報）に基づいて、課金処理を行う。
【０１５５】
また、情報処理装置２００の制御部２３０は、予約情報記憶部２６０および端末管理情報記憶部２７０の内容に基づいて、無線通信装置３００により行われた予約登録に係る終了時刻に達したか否かを監視する。そして、その終了時刻に達した場合には、制御部２３０は、その予約登録に係る基地局に接続切断指示情報を第２のネットワーク制御装置１２０を介して送信する（６４３乃至６４６）。また、制御部２３０は、その予約登録に係る無線通信装置３００に接続切断指示情報を第２のネットワーク制御装置１２０を介して送信する（６４７、６４８）。ここで、接続切断指示情報は、予約登録に係る基地局および無線通信装置間における接続の切断を指示する情報であり、ＵＳＩＭ情報復元情報が含まれる。このＵＳＩＭ情報復元情報は、無線通信装置３００に設定されている第２の通信事業者に係るＵＳＩＭ情報を、第１の通信事業者に係るＵＳＩＭ情報に復元させるための情報である。例えば、ＵＳＩＭ情報記憶部３７０に記憶されているＵＳＩＭ情報（第２の通信事業者）が、第１の通信事業者に係るＵＳＩＭ情報に書き換えられる。
【０１５６】
また、無線通信装置３００が接続切断指示情報を受信すると（６４８）、無線通信装置３００のＵＳＩＭ情報書換部３６０は、その接続切断指示情報に基づいて、ＵＳＩＭ情報記憶部３７０に記憶されているＵＳＩＭ情報を書き換える。すなわち、第２の通信事業者に係るＵＳＩＭ情報から、第１の通信事業者に係るＵＳＩＭ情報に書き換える。この復元処理により、無線通信装置３００は、第１の通信事業者（第１のネットワーク制御装置１１０）に接続可能となる。
【０１５７】
なお、この例では、情報処理装置２００が、予約登録に係る基地局および無線通信装置の双方に接続指示情報（設定情報）を送信する例を示した。ただし、予約登録に係る基地局および無線通信装置には、設定情報が予め保持されているため、予約登録に係る予約時間に達した場合に、予約登録に係る基地局および無線通信装置のそれぞれが接続処理を開始することができる。また、予約登録に係る基地局および無線通信装置のうちの何れか一方には、設定情報を予め保持させておき、他方には、接続指示情報を送信することにより、それぞれが接続処理を開始するようにしてもよい。また、接続切断指示情報についても同様である。
【０１５８】
また、予約時間および予約場所において、無線通信装置３００および基地局が起動していないことも想定される。この場合には、例えば、情報処理装置２００から起動コマンド（例えば、電源投入のコマンド）をそれぞれに送信して起動させるようにしてもよい。また、通信モジュールの設定のため、認証や課金に関する情報を、情報処理装置２００から無線通信装置３００に送信するようにしてもよい。このように、情報処理装置２００が、無線通信装置３００および基地局に、電源投入、電源切断、動作設定変更を要求するコマンドを送信して、情報処理装置２００が各装置を制御するようにしてもよい。
【０１５９】
［通信システムの動作例］
次に、本技術の第１の実施の形態における通信システム１００の動作について図面を参照して説明する。
【０１６０】
［予約時における動作例］
図１５は、本技術の第１の実施の形態における無線通信装置３００による接続権予約処理の処理手順の一例を示すフローチャートである。
【０１６１】
最初に、予約要求を行う際に用いられる予約情報を取得するための予約情報要求を行うユーザ操作（要求操作）が行われたか否かが判断され（ステップＳ９０１）、その要求操作が行われていない場合には、監視を継続して行う。一方、その要求操作が行われた場合には（ステップＳ９０１）、通信制御部３１０が、予約情報要求を情報処理装置２００に第１のネットワーク制御装置１１０を介して送信する（ステップＳ９０２）。
【０１６２】
続いて、情報処理装置２００からの予約情報を受信したか否かが判断され（ステップＳ９０３）、予約情報を受信していない場合には、監視を継続して行う。一方、予約情報を受信した場合には（ステップＳ９０３）、制御部３３０は、その予約情報に基づいて、予約要求を行うための予約操作画面（例えば、図８に示す予約操作画面５００）を表示部３５０に表示する（ステップＳ９０４）。
【０１６３】
続いて、予約操作画面において、予約操作（例えば、ユーザによる予約条件の指定操作後の確定ボタン５０３（図８に示す）の押下操作）が行われたか否かが判断され（ステップＳ９０５）、予約操作が行われていない場合には、監視を継続して行う。一方、予約操作が行われた場合には（ステップＳ９０５）、通信制御部３１０が、その予約操作に係る予約要求を情報処理装置２００に第１のネットワーク制御装置１１０を介して送信する（ステップＳ９０６）。なお、ステップＳ９０６は、特許請求の範囲に記載の通信制御手順の一例である。
【０１６４】
続いて、予約結果情報を受信したか否かが判断され（ステップＳ９０７）、予約結果情報を受信していない場合には、監視を継続して行う。一方、予約結果情報を受信した場合には（ステップＳ９０７）、その予約結果情報に含まれる予約結果が、成立（予約成立）であるか否かが判断される（ステップＳ９０８）。
【０１６５】
その予約結果が成立である場合には（ステップＳ９０８）、制御部３３０は、その予約結果情報に基づいて、予約登録画面（例えば、図９に示す予約登録画面５３０）を表示部３５０に表示させる（ステップＳ９０９）。
【０１６６】
続いて、その予約登録画面において、予約登録操作（例えば、登録ボタン５３４の押下操作）が行われたか否かが判断され（ステップＳ９１０）、予約登録操作が行われていない場合には、監視を継続して行う。予約登録操作が行われた場合には（ステップＳ９１０）、通信制御部３１０が、予約登録画面に表示されている予約内容を含む予約登録情報を情報処理装置２００に第１のネットワーク制御装置１１０を介して送信する（ステップＳ９１１）。
【０１６７】
続いて、制御部３３０は、予約登録処理を行う（ステップＳ９１２）。すなわち、設定情報記憶部３８０に、その予約登録情報に係る各内容が設定情報として記録される（ステップＳ９１２）。この設定情報に基づいて接続権が設定される。なお、ステップＳ９１２は、特許請求の範囲に記載の制御手順の一例である。
【０１６８】
また、その予約結果が不成立である場合には（ステップＳ９０８）、制御部３３０は、その予約結果情報に基づいて、キャンセル待ち予約登録画面（例えば、図１１に示すキャンセル待ち予約登録画面５４０）を表示部３５０に表示させる（ステップＳ９１３）。
【０１６９】
続いて、そのキャンセル待ち予約登録画面において、キャンセル待ち予約登録操作（例えば、キャンセル待ち登録ボタン５４４の押下操作）が行われたか否かが判断され（ステップＳ９１４）、予約登録操作が行われていない場合には、監視を継続して行う。キャンセル待ち予約登録操作が行われた場合には（ステップＳ９１４）、通信制御部３１０が、キャンセル待ち予約登録情報を情報処理装置２００に第１のネットワーク制御装置１１０を介して送信する（ステップＳ９１５）。このキャンセル待ち予約登録情報には、キャンセル待ち予約登録画面に表示されている予約内容が含まれる。
【０１７０】
続いて、制御部３３０は、キャンセル待ち予約登録処理を行う（ステップＳ９１６）。すなわち、設定情報記憶部３８０に、そのキャンセル待ち予約登録情報に係る各内容が設定情報として記録される（ステップＳ９１６）。
【０１７１】
図１６は、本技術の第１の実施の形態における情報処理装置２００による接続権予約処理の処理手順の一例を示すフローチャートである。
【０１７２】
最初に、無線通信装置から予約情報要求を受信したか否かが判断され（ステップＳ９２１）、予約情報要求を受信していない場合には、ステップＳ９３１に進む。一方、予約情報要求を受信した場合には（ステップＳ９２１）、通信制御部２２０が、その予約情報要求に対応する予約情報を、その予約情報要求を送信した無線通信装置にネットワーク制御装置を介して送信する（ステップＳ９２２）。
【０１７３】
続いて、無線通信装置から予約要求を受信したか否かが判断され（ステップＳ９２３）、予約要求を受信していない場合には、監視を継続して行う。一方、予約要求を受信した場合には（ステップＳ９２３）、予約処理が行われる（ステップＳ９４０）。この予約処理については、図１７を参照して詳細に説明する。
【０１７４】
続いて、予約処理の結果が予約成立であるか否かが判断される（ステップＳ９２４）。そして、予約処理の結果が予約成立である場合には（ステップＳ９２４）、通信制御部２２０は、その結果を含む予約結果情報を、その予約要求を送信した無線通信装置にネットワーク制御装置を介して送信する（ステップＳ９２５）。
【０１７５】
続いて、予約登録情報を受信したか否かが判断され（ステップＳ９２６）、予約登録情報を受信していない場合には、監視を継続して行う。一方、予約登録情報を受信した場合には（ステップＳ９２６）、制御部２３０が予約登録処理を行う（ステップＳ９２７）。すなわち、予約情報記憶部２６０において、その予約登録情報に係る基地局の時間帯に、その予約登録情報に係る無線通信装置の端末ＩＤが記録される。また、端末管理情報記憶部２７０に、その予約登録情報に係る各内容が記録される。
【０１７６】
また、予約処理の結果が予約不成立である場合には（ステップＳ９２４）、通信制御部２２０は、その結果を含む予約結果情報を、その予約要求を送信した無線通信装置にネットワーク制御装置を介して送信する（ステップＳ９２８）。
【０１７７】
続いて、キャンセル待ち予約登録情報を受信したか否かが判断され（ステップＳ９２９）、キャンセル待ち予約登録情報を受信していない場合には、監視を継続して行う。一方、キャンセル待ち予約登録情報を受信した場合には（ステップＳ９２９）、制御部２３０がキャンセル待ち予約登録処理を行う（ステップＳ９３０）。すなわち、端末管理情報記憶部２７０に、そのキャンセル待ち予約登録情報に係る各内容が記録される。
【０１７８】
続いて、無線通信装置からキャンセル情報を受信したか否かが判断され（ステップＳ９３１）、キャンセル情報を受信していない場合には、予約処理の動作を終了する。一方、キャンセル情報を受信した場合には（ステップＳ９３１）、制御部２３０が、キャンセル待ち予約登録の無線通信装置について、繰り上げ登録処理を行う（ステップＳ９３２）。すなわち、予約情報記憶部２６０において、そのキャンセル情報に係る基地局の時間帯から、そのキャンセル情報に係る無線通信装置の端末ＩＤが削除される。そして、キャンセル待ち予約登録の無線通信装置（予約条件が適合する装置のうち、優先度が最も高い装置（例えば、予約時刻が最も早い装置））を、その削除した時間帯に記録する。また、端末管理情報記憶部２７０に、その予約登録情報に係る各内容が記録される。
【０１７９】
これにより、キャンセル情報に係る接続権を設定するための設定情報が、キャンセル待ち予約登録の無線通信装置に送信される。この場合に、受信したキャンセル情報に係る予約時間（開始時刻）に達している場合には、キャンセル待ち予約登録の無線通信装置は、その設定情報に基づいて、所望の基地局との通信に迅速に切り替えることができる。
【０１８０】
図１７は、本技術の第１の実施の形態における情報処理装置２００による接続権予約処理の処理手順のうちの予約処理手順（図１６に示すステップＳ９４０の処理手順）を示すフローチャートである。
【０１８１】
最初に、制御部２３０が、基地局情報記憶部２５０に記憶されている基地局情報に基づいて、受信した予約要求に含まれる予約場所に対応する基地局を抽出する（ステップＳ９４１）。すなわち、受信した予約要求に含まれる予約場所が、セル内に含まれる基地局（１または複数の基地局）が抽出される（ステップＳ９４１）。
【０１８２】
続いて、制御部２３０が、抽出された基地局と、予約要求を送信した無線通信装置３００との間での通信に使用することができる通信方式を特定する（ステップＳ９４２）。すなわち、抽出された基地局が通信可能な通信方式と、予約要求を送信した無線通信装置３００が通信可能な通信方式とのうちで、一致する通信方式が特定される。なお、予約要求を送信した無線通信装置３００が通信可能な通信方式に関する情報は、予約要求に含まれる。
【０１８３】
続いて、制御部２３０が、予約場所に対応する基地局（ステップＳ９４１において抽出された基地局）のうちから、予約要求に係る予約条件（例えば、通信速度、通信費用）に適合する通信方式を備える基地局を抽出する（ステップＳ９４３）。すなわち、ステップＳ９４２において特定された通信方式を備える基地局のうちから、予約要求に係る予約条件に適合する通信方式を備える基地局が抽出される。
【０１８４】
続いて、制御部２３０が、予約要求に係る予約条件に適合する通信方式を備える基地局（ステップＳ９４３において抽出された基地局）のうちから、予約要求に係る時間帯に空きがある基地局が存在するか否かを判断する（ステップＳ９４４）。すなわち、予約情報記憶部２６０に記憶されている予約情報に基づいて、予約要求に係る時間帯に空きがある基地局が存在するか否かが判断される。
【０１８５】
続いて、予約要求に係る時間帯に空きがある基地局が存在する場合には（ステップＳ９４４）、制御部２３０が、それらの基地局のうちから、予約要求に係る予約条件に最も適合する基地局を選択する（ステップＳ９４５）。この場合には、予約要求に係る予約が成立と判定される（ステップＳ９４６）。
【０１８６】
また、予約要求に係る時間帯に空きがある基地局が存在しない場合には（ステップＳ９４４）、制御部２３０が、予約要求に係る予約が不成立であると判定する（ステップＳ９４７）。
【０１８７】
［予約実行時における動作例］
図１８は、本技術の第１の実施の形態における情報処理装置２００による通信処理の処理手順の一例を示すフローチャートである。
【０１８８】
最初に、制御部２３０は、予約登録に係る予約時間（開始時刻）に達したか否かを判断し（ステップＳ９５１）、予約時間に達していない場合には、監視を継続して行う。一方、予約時間に達した場合には（ステップＳ９５１）、通信制御部２２０は、その予約登録に係る基地局および無線通信装置に接続指示情報を送信する（ステップＳ９５２）。
【０１８９】
続いて、予約登録に係る無線通信装置、基地局、ネットワーク制御装置間における接続処理が完了したか否かが判断され（ステップＳ９５３）、接続処理が完了しなかった場合には、エラー処理が行われる（ステップＳ９５７）。例えば、予約登録に係る無線通信装置が予約場所に存在しない場合には、開始時刻から一定時間経過後に、接続処理が完了しなかったものと判断され、エラー処理が行われる。
【０１９０】
また、接続処理が完了した場合には（ステップＳ９５３）、予約登録に係る基地局を介して、無線通信装置およびネットワーク制御装置間で通信処理が行われる。この場合には、制御部２３０が、予約登録に係る通信事業者の課金情報（課金情報記憶部２８０に記憶されている課金情報）に基づいて、課金処理を行う（ステップＳ９５４）。
【０１９１】
続いて、制御部２３０は、予約登録に係る終了時刻に達したか否かを判断し（ステップＳ９５５）、終了時刻に達していない場合には、ステップＳ９５４に戻る。一方、終了時刻に達した場合には（ステップＳ９５５）、通信制御部２２０は、その予約登録に係る基地局および無線通信装置に接続切断指示情報をネットワーク制御装置を介して送信する（ステップＳ９５６）。
【０１９２】
図１９は、本技術の第１の実施の形態における無線通信装置３００による通信処理の処理手順の一例を示すフローチャートである。図１９では、予約登録に係る予約時間（開始時刻）に達した場合に、無線通信装置３００が自動で接続処理を行う例を示す。
【０１９３】
最初に、制御部３３０は、設定情報記憶部３８０に記憶されている設定情報に基づいて、予約登録に係る予約時間（開始時刻）に達したか否かを判断し（ステップＳ９６１）、予約時間に達していない場合には、監視を継続して行う。一方、予約時間に達した場合には（ステップＳ９６１）、制御部３３０が、位置情報取得部３２０により取得された位置情報に基づいて、無線通信装置３００が予約場所に存在するか否かを判断する（ステップＳ９６２）。すなわち、設定情報記憶部３８０に記憶されている設定情報により特定される予約場所に、位置情報取得部３２０により取得された位置情報の位置が含まれるか否かが判断される。
【０１９４】
無線通信装置３００が予約場所に存在しない場合には（ステップＳ９６２）、予約登録に係る予約時間（開始時刻）に達してから一定時間が経過したか否かが判断され（ステップＳ９６８）、一定時間が経過していない場合には、ステップＳ９６２に戻る。また、一定時間が経過した場合には（ステップＳ９６８）、制御部３３０が、通信エラー登録を行い（ステップＳ９６９）、通信処理の動作を終了する。
【０１９５】
また、無線通信装置３００が予約場所に存在する場合には（ステップＳ９６２）、制御部３３０が、予約登録に係る基地局、ネットワーク制御装置間における接続処理を行う（ステップＳ９６３）。
【０１９６】
続いて、予約登録に係る基地局、ネットワーク制御装置間における接続処理が完了したか否かが判断され（ステップＳ９６４）、接続処理が完了しなかった場合には、ステップＳ９６９に進む。一方、接続処理が完了した場合には（ステップＳ９６４）、通信品質が測定され（ステップＳ９６５）、予約条件を満たすか否かが確認される。ここで、接続対象となる基地局として、予約条件を満たす基地局が選択されているが、何らかの理由で通信品質が予約条件を満たしていないことも想定される。そこで、通信品質の測定の結果、予約条件を満たす場合には、通信処理を継続して行うが、予約条件を満たしていない場合には、ユーザ操作または自動で通信処理を終了するようにしてもよい。例えば、通信品質の測定の結果、予約条件を満たしていない場合には、制御部３３０が、ユーザにその旨を通知（例えば、その旨を表示部３５０に表示、その旨を音声出力）して通信処理を継続して行うか否かの判断を求める。そして、この通知後のユーザ操作に基づいて、制御部３３０が、通信処理の継続、または、通信処理の終了処理を行う。
【０１９７】
続いて、予約登録に係る終了時刻に達したか否かが判断され（ステップＳ９６６）、終了時刻に達していない場合には、監視を継続して行う。一方、終了時刻に達した場合には（ステップＳ９６６）、制御部３３０は、接続切断処理を行う（ステップＳ９６７）。
【０１９８】
なお、接続処理が完了した後に、無線通信装置３００が、予約場所の外に移動することも想定される。この場合には、予約条件に基づく処理が行われる。例えば、無線通信装置３００が予約場所の外に移動した場合には、その接続権に基づく通信を切断して、元の接続権に基づく通信に切り替えるようにしてもよい。また、例えば、無線通信装置３００が予約場所の外に移動した場合には、その接続権に基づく通信を維持する代わりに、通信料を増加させるように課金情報を切り替えるようにしてもよい。
【０１９９】
このように、本技術の第１の実施の形態によれば、ユーザが所望する場所およびタイミングで適切な無線接続サービスを提供することができる。例えば、接続可能な無線通信装置の数が限定されている基地局に、所望の時間帯に接続することを所望する場合に、その予約を容易に行うことができる。また、このように予約された接続権を使用する場合には、通信事業者が異なる場合でも、情報処理装置２００が課金処理を行うため、予約された接続権に応じた適切な課金を行うことができる。また、キャンセル待ち予約登録を行うことができるため、予約を行ったユーザがその予約通りに接続権を使用することができなくなった場合でも、キャンセル待ち予約登録を行っている他のユーザに適切に接続権を設定することができる。
【０２００】
＜２．第２の実施の形態＞
本技術の第１の実施の形態では、ユーザによる手動操作により場所等を指定して接続権の予約を行う例を示した。ただし、特定の予約条件のみを指定しておき、場所等の指定処理については、自動で行うようにしてもよい。そこで、本技術の第２の実施の形態では、予約処理を自動で行う例を示す。なお、本技術の第２の実施の形態における通信システムの構成については、図２等に示す例と略同様である。このため、本技術の第１の実施の形態と共通する部分については、同一の符号を付して、これらの説明の一部を省略する。
【０２０１】
［情報処理装置の構成例］
図２０は、本技術の第２の実施の形態における情報処理装置７００の機能構成例を示すブロック図である。なお、情報処理装置７００は、図３に示す情報処理装置２００の変形例である。このため、情報処理装置２００と共通する部分については、同一の名称を付して、これらの説明の一部を省略する。
【０２０２】
情報処理装置７００は、制御部７１０と、通信品質予測部７２０と、端末経路予測部７３０とを備える。
【０２０３】
通信品質予測部７２０は、予約要求を送信した無線通信装置から得られた電波状態の情報に基づいて、その無線通信装置が特定の基地局との間で通信した場合における通信速度を予想するものであり、その予測結果を制御部７１０に出力する。
【０２０４】
端末経路予測部７３０は、予約要求を送信した無線通信装置の移動経路を予測するものであり、その予測結果を制御部７１０に出力する。例えば、端末経路予測部７３０は、位置情報取得部２４０により取得された各無線通信装置の位置情報に基づいて、各無線通信装置の過去の移動経路（過去の経路履歴）を求め、この過去の経路履歴を無線通信装置毎に保持する。そして、端末経路予測部７３０は、保持されている過去の経路履歴（予約要求を送信した無線通信装置の過去の経路履歴）と、予約要求を送信した無線通信装置の現在位置とに基づいて、予約要求を送信した無線通信装置の移動経路を予測する。なお、予約要求を送信した無線通信装置の現在位置は、位置情報取得部２４０により取得された位置情報に基づいて算出される。例えば、平日の過去の経路履歴（所定時間帯（例えば、出勤時間帯））に対応する経路上を、予約要求を送信した無線通信装置が移動している場合を想定する。この場合には、その無線通信装置を所有するユーザは通勤経路上を移動していることが想定される。そこで、このような場合には、過去の経路履歴に基づいて、その無線通信装置が、会社の方向に向かっていると予測される。
【０２０５】
また、そのように予測された移動経路と、現時点での基地局からの信号の受信品質を用いて、将来の無線通信装置の予測経路上における通信速度を予想することができる。また、予測経路上において他の無線通信装置により生成された通信速度履歴を参照することにより、さらに詳細に通信速度を予測することが可能になる。
【０２０６】
制御部７１０は、通信品質予測部７２０および端末経路予測部７３０から出力された各情報（予測結果）に基づいて、接続権を設定する予測場所の決定を行う。例えば、制御部７１０は、端末経路予測部７３０により予測された移動経路上に存在する基地局（現在位置に対応する基地局）とは異なる基地局（予測された移動経路上に存在する基地局）を抽出する。また、制御部７１０は、その抽出された複数の基地局の中から、混雑度、ＳＩＲ（Signal to Interference Ratio）、または、通信費に基づいて、１つの基地局を特定する。そして、制御部７１０は、その特定された基地局のセルに無線通信装置３００が移動する予定時刻を算出し、この予定時刻にその基地局に接続するための接続権を予約するための予約処理を行う。この場合に、その特定された基地局を管理する通信事業者が、無線通信装置３００が接続している基地局を管理する通信事業者と異なる場合には、無線通信装置３００にハンドオーバーを指示する前に、接続権の変更（例えば、ＵＳＩＭ情報の書き換え）を指示する。
【０２０７】
なお、無線通信装置３００の移動予測経路を算出する算出部、無線リソースを予約すべき基地局を特定する特定部、その基地局に在圏する予定時刻を算出する算出部のそれぞれについては、無線通信装置３００側に備えるようにしてもよい。この場合には、無線通信装置３００側から情報処理装置７００側に、リソースを予約すべき基地局、時刻を通知することができる。
【０２０８】
［予約条件設定時における表示例］
図２１は、本技術の第２の実施の形態における無線通信装置３００に表示される表示画面例を示す図である。図２１に示す予約操作画面５６０は、例えば、情報処理装置７００からの予約情報を受信した際に表示部３５０に表示される。
【０２０９】
予約操作画面５６０は、ユーザが所望する予約条件（予約方式、通信費用プラン等）を指定して、その指定された予約要件に対応する接続権の予約を行うための表示画面である。具体的には、予約操作画面５６０には、自動予約指定領域５６１と、予約方式指定領域５６２と、通信費用プラン指定領域５６３と、予約不成立時の対応指定領域５６４と、詳細設定ボタン５６５と、確定ボタン５６６と、戻るボタン５６７とが表示される。
【０２１０】
自動予約指定領域５６１は、自動予約を行うか否かを指定するための領域である。例えば、プルダウンボタンを押下して「する」および「しない」を表示させ、自動予約を行うか否かを指定することができる。
【０２１１】
予約方式指定領域５６２は、ユーザが所望する自動予約の予約条件として、予約方式を指定するための領域である。例えば、プルダウンボタンを押下して「最安値型」、「最速通信型」等の予約方式の一覧を表示させ、ユーザが所望する予約方式（１または複数）を指定することができる。
【０２１２】
通信費用プラン指定領域５６３は、ユーザが所望する自動予約の予約条件として、通信費用のプランを指定するための領域である。例えば、プルダウンボタンを押下して、通信費用のプランの一覧を表示させ、ユーザが所望するプランを指定することができる。
【０２１３】
予約不成立時の対応指定領域５６４は、自動予約の設定時にその予約が不成立となった場合における対応を指定するための領域である。例えば、プルダウンボタンを押下して各対応の一覧を表示させ、その予約が不成立となった場合における対応を指定することができる。
【０２１４】
詳細設定ボタン５６５は、ユーザが所望する予約条件（予約方式、通信費用プラン等）について、ユーザ操作による詳細設定を行うための詳細設定画面を表示させる際に押下されるボタンである。詳細設定ボタン５６５の押下後に表示される詳細設定画面を用いて、予約条件の詳細設定を行うことにより、ユーザが所望する予約条件を詳細に設定することができる。なお、詳細設定画面については、ここでの図示およびその説明を省略する。
【０２１５】
確定ボタン５６６は、予約操作画面５６０において操作入力（入力操作、選択操作等）が行われた後に、その操作内容を確定する際に押下されるボタンである。
【０２１６】
戻るボタン５６７は、例えば、直前に表示されていた表示画面に戻る場合に押下されるボタンである。
【０２１７】
［情報処理装置の動作例］
図２２は、本技術の第２の実施の形態における情報処理装置７００による自動予約処理の処理手順の一例を示すフローチャートである。なお、この処理手順は、図１７に示す処理手順（ステップＳ９４０）の変形例である。このため、図１７に示す処理手順（ステップＳ９４０）と共通する部分については、同一の符号を付して、これらの説明の一部を省略する。
【０２１８】
最初に、端末経路予測部７３０が、予約要求を送信した無線通信装置の移動経路を予測する（ステップＳ９７１）。続いて、制御部７１０が、その予測により求められた移動経路に係る場所に対応する基地局を抽出する（ステップＳ９７２）。すなわち、その予測により求められた移動経路を含む一定範囲が、セル内に含まれる基地局（１または複数の基地局）が抽出される。
【０２１９】
このように、制御部７１０は、無線通信装置３００の移動経路予測に基づいて、特定時間帯に、無線通信装置３００が存在する位置を含む特定領域を決定することができる。そして、制御部７１０は、その決定された特定領域において、無線を介して所定のネットワーク（例えば、公衆回線網１０１）に接続するための接続権を設定するための設定情報を無線通信装置３００に送信する。
【０２２０】
このように、本技術の第２の実施の形態によれば、予約場所および予約時間帯を自動で決定して、ユーザが所望する場所およびタイミングで適切な無線接続サービスを提供することができる。
【０２２１】
＜３．第３の実施の形態＞
本技術の第１および第２の実施の形態では、予約登録を行ったユーザ自身が、その予約に係る接続権を使用する例を示した。ただし、予約登録を行ったユーザ自身が、その予約に係る接続権を使用することができなくなることも想定される。このような場合には、その接続権を他人に譲渡することにより、その接続権を有効に活用することができると想定される。そこで、本技術の第３の実施の形態では、予約登録に係る接続権を移転する例を示す。なお、本技術の第３の実施の形態における通信システムの構成については、図２等に示す例と略同様である。このため、本技術の第１の実施の形態と共通する部分については、同一の符号を付して、これらの説明の一部を省略する。
【０２２２】
［無線通信装置の動作例］
図２３は、本技術の第３の実施の形態における無線通信装置３００による予約登録の変更処理の処理手順の一例を示すフローチャートである。
【０２２３】
最初に、ユーザ操作に基づいて予約登録に係る接続権の販売条件が設定される（ステップＳ９８１）。例えば、制御部３３０が、予約登録に係る接続権の一覧を表示部３５０に表示させる。そして、販売対象となる接続権をユーザが選択し、その販売条件を設定する。例えば、販売条件として、販売価格、販売対象となる時間帯（例えば、予約登録に係る時間帯の全てまたは一部）を設定するための販売条件設定画面が表示部３５０に表示され、この販売条件設定画面における操作入力により販売条件が設定される。
【０２２４】
続いて、制御部３３０が、設定された販売条件を含む販売情報を情報処理装置２００に第１のネットワーク制御装置１１０を介して送信する（ステップＳ９８２）。このように販売情報を情報処理装置２００が受信すると、情報処理装置２００は、その販売情報に含まれる販売条件を、他のユーザに通知して、他のユーザからの購入希望を受け付ける。そして、その販売情報に係る接続権について、他のユーザからの購入希望を受け付けると、情報処理装置２００は、その販売情報に係る接続権の販売成立情報を無線通信装置３００に送信する。
【０２２５】
続いて、その販売情報に係る接続権の販売成立情報を受信したか否かが判断され（ステップＳ９８３）、その販売成立情報を受信していない場合には、一定時間が経過するまでの間（ステップＳ９８５）、監視を継続して行う。一方、その販売成立情報を受信した場合には（ステップＳ９８３）、制御部３３０が、その販売成立情報に係る予約登録の変更処理を行う（ステップＳ９８４）。すなわち、その販売成立情報に係る販売条件に基づいて、設定されている接続権を変更する変更処理を行う。
【０２２６】
［情報処理装置の動作例］
図２４は、本技術の第３の実施の形態における情報処理装置２００による予約登録の変更処理の処理手順の一例を示すフローチャートである。この処理手順では、オークション形式により、予約登録に係る接続権を販売する例を示す。
【０２２７】
最初に、無線通信装置から販売情報を受信したか否かが判断され（ステップＳ９９１）、販売情報を受信していない場合には、監視を継続して行う。一方、無線通信装置から販売情報を受信した場合には（ステップＳ９９１）、オークション形式による入札開始処理が行われる（ステップＳ９９２）。例えば、情報処理装置２００は、その販売情報に含まれる販売条件を、他のユーザに通知して、他のユーザからの入札希望を受け付ける。
【０２２８】
続いて、最高額の入札希望が受け付けられたか否かが判断され（ステップＳ９９３）、最高額の入札希望が受け付けられた場合には、最高額入札者の変更処理が行われる（ステップＳ９９４）。続いて、入札期限となったか否かが判断され（ステップＳ９９５）、入札期限となっていない場合には、ステップＳ９９３に戻る。すなわち、入札期限となるまでの間、最高額の入札希望が受け付けられる毎に、最高額入札者の変更処理が行われる。
【０２２９】
また、入札期限となった場合には（ステップＳ９９５）、入札者が登録されているか否かが判断される（ステップＳ９９６）。例えば、最高額入札者の変更処理が行われている場合には、少なくとも１人の入札者が登録されている。
【０２３０】
入札者が登録されている場合には（ステップＳ９９６）、制御部２３０が、販売情報を送信した無線通信装置に販売成立情報を送信する（ステップＳ９９７）。続いて、制御部２３０が、その販売成立情報に係る予約登録の変更処理を行う（ステップＳ９９８）。すなわち、その販売成立情報に係る販売条件に基づいて、設定されている接続権を変更する変更処理を行う。一方、入札者が登録されていない場合（すなわち、入札希望者がいなかった場合）には（ステップＳ９９６）、制御部２３０が、販売情報を送信した無線通信装置に販売不成立情報を送信する（ステップＳ９９９）。
【０２３１】
このように、通信制御部３１０は、無線通信装置３００に設定された接続権を、他の無線通信装置に移転させるための移転要求（販売情報）を情報処理装置２００に送信する。また、制御部２３０は、その移転要求に基づいて、無線通信装置３００に設定された接続権を、他の無線通信装置に移転させる移転処理を行う。この移転処理では、その接続権に係る予約登録について、その移転に従って変更される。
【０２３２】
このように、本技術の第３の実施の形態によれば、ユーザによる接続権の売買の仕組みを提供することができる。これにより、複数の通信事業者における通信路を有効に活用することができる。また、場所、周波数帯、時間帯における需要に応じた無線通信資源を有効に活用することができる。
【０２３３】
また、本技術の実施の形態では、所定のネットワークと接続するための接続権として、ＵＳＩＭ情報に基づく接続権を例にして説明した。ただし、他の情報（例えば、ＭＣＩＭ（Machine Communication Identity Module））に基づいて、所定のネットワークと接続するための他の接続権についても、本技術の実施の形態を適用することができる。
【０２３４】
また、本技術の実施の形態では、一体として構成される情報処理装置２００を例にして説明した。ただし、これらの情報処理装置が備える各部を、複数の装置により構成する情報処理システムについても本技術の実施の形態を適用することができる。また、他の携帯型の無線端末装置（例えば、データ通信専用端末装置）や、固定型の無線端末装置（例えば、自動販売機のデータ収集を目的とする無線端末装置）に本技術の実施の形態を適用することができる。
【０２３５】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【０２３６】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０２３７】
なお、本技術は以下のような構成もとることができる。
（１）  特定時間帯に特定領域において無線を介して所定のネットワークに接続するための接続権の予約要求を行う通信制御部と、
前記予約要求に応じた設定情報に基づいて前記接続権を設定する制御を行う制御部と
を具備する無線通信装置。
（２）  前記接続権は、前記特定時間帯に前記特定領域に存在する基地局に無線を介して接続することにより前記所定のネットワークに接続するための権利であり、
前記制御部は、前記設定された接続権に基づいて前記基地局に接続するための接続処理を行う
前記（１）に記載の無線通信装置
（３）  前記制御部は、前記特定時間帯になった場合において前記無線通信装置が前記特定領域に存在する場合にのみ、前記設定された前記接続権に基づいて前記所定のネットワークに接続するための接続処理を行う前記（１）または（２）に記載の無線通信装置。
（４）  前記特定時間帯および前記特定領域を指定するための指定操作を受け付ける操作受付部をさらに具備し、
前記通信制御部は、前記受け付けられた前記特定時間帯および前記特定領域を含めた前記予約要求を送信する
前記（１）から（３）のいずれかに記載の無線通信装置。
（５）  前記通信制御部は、前記予約要求に応じた前記接続権の予約登録を行う情報処理装置に前記予約要求を送信し、
前記情報処理装置は、前記特定領域に存在する基地局のうちから前記特定時間帯に接続することができる基地局を抽出して当該抽出された基地局に無線を介して接続することにより前記所定のネットワークに接続するための前記接続権を設定するための前記設定情報を前記無線通信装置に送信する
前記（１）から（４）のいずれかに記載の無線通信装置。
（６）  前記情報処理装置は、前記抽出された基地局に接続するための接続権が設定されている無線通信装置の数が閾値を基準として小さい基地局のみを抽出する前記（５）に記載の無線通信装置。
（７）  前記情報処理装置は、前記特定領域に存在する基地局のうちから前記特定時間帯に接続することができる基地局が抽出されない場合には他の無線通信装置に設定されている前記接続権のキャンセルが発生した場合にのみ前記予約要求に応じた前記接続権を設定することができる前記設定情報を前記無線通信装置に送信する前記（５）または（６）に記載の無線通信装置。
（８）  前記情報処理装置は、前記無線通信装置の移動経路予測に基づいて前記特定時間帯に前記無線通信装置が存在する位置を特定して当該特定された位置を含む領域を前記特定領域として決定して当該決定された特定領域において無線を介して前記所定のネットワークに接続するための前記接続権を設定するための設定情報を前記無線通信装置に送信する前記（１）から（７）のいずれかに記載の無線通信装置。
（９）  前記通信制御部は、前記予約要求に応じた前記接続権の予約登録を行う情報処理装置に、前記設定された接続権を他の無線通信装置に移転させるための移転要求を送信し、
前記情報処理装置は、前記移転要求に基づいて前記設定された接続権を前記他の無線通信装置に移転させて当該接続権の予約登録を変更する
前記（１）から（８）のいずれかに記載の無線通信装置。
（１０）  特定時間帯に特定領域において無線を介して所定のネットワークに接続するための接続権の予約要求を、前記予約要求に応じた前記接続権の予約登録を行う情報処理装置に送信する通信制御部と、前記情報処理装置からの前記予約要求に応じた設定情報に基づいて前記接続権を設定する制御を行う制御部とを備える無線通信装置と、
前記特定領域に存在する基地局のうちから前記特定時間帯に接続することができる基地局を抽出して当該抽出された基地局に無線を介して接続することにより前記所定のネットワークに接続するための前記接続権を設定するための前記設定情報を前記無線通信装置に送信する情報処理装置と
を具備する通信システム。
（１１）  特定時間帯に特定領域において無線を介して所定のネットワークに接続するための接続権の予約要求を行う通信制御手順と、
前記予約要求に応じた設定情報に基づいて前記接続権を設定する制御を行う制御手順と
を具備する情報処理方法。
【符号の説明】
【０２３８】
２０、３０、１１１、１１２、１２１、１２２、４００  基地局
１００  通信システム
１０１  公衆回線網
１１０  第１のネットワーク制御装置
１２０  第２のネットワーク制御装置
２００、７００  情報処理装置
２１０、４１５  送受信部
２２０、３１０、４１０  通信制御部
２３０、３３０、４３０、７１０  制御部
２４０、３２０、４２０  位置情報取得部
２５０  基地局情報記憶部
２６０  予約情報記憶部
２７０  端末管理情報記憶部
２８０  課金情報記憶部
３００  無線通信装置
３１１、４１１  第１送受信部
３１２、４１２  第２送受信部
３１３、３１４、４１３、４１４  アンテナ
３４０  操作受付部
３５０  表示部
３６０  ＵＳＩＭ情報書換部
３７０  ＵＳＩＭ情報記憶部
３８０、４５０  設定情報記憶部
３９０、４６０  省電力制御部
４４０  記憶部
７２０  通信品質予測部
７３０  端末経路予測部
【図１】
0005903770.tif 000002
【図２】
0005903770.tif 000003
【図３】
0005903770.tif 000004
【図４】
0005903770.tif 000005
【図５】
0005903770.tif 000006
【図６】
0005903770.tif 000007
【図７】
0005903770.tif 000008
【図８】
0005903770.tif 000009
【図９】
0005903770.tif 000010
【図１０】
0005903770.tif 000011
【図１１】
0005903770.tif 000012
【図１２】
0005903770.tif 000013
【図１３】
0005903770.tif 000014
【図１４】
0005903770.tif 000015
【図１５】
0005903770.tif 000016
【図１６】
0005903770.tif 000017
【図１７】
0005903770.tif 000018
【図１８】
0005903770.tif 000019
【図１９】
0005903770.tif 000020
【図２０】
0005903770.tif 000021
【図２１】
0005903770.tif 000022
【図２２】
0005903770.tif 000023
【図２３】
0005903770.tif 000024
【図２４】
0005903770.tif 000025